(57)【要約】【課題】プラント内に配置されたそれぞれの設備を巡回して行う作業において、それぞれの作業の確実性を向上させると共に、一連の作業に要する時間の短縮を図ることができる巡回点検システム、巡回点検装置、巡回点検方法、プログラム、および記録媒体を提供する。【解決手段】設備が配置された領域内の予め定められた位置に設置され、周辺の予め定めた範囲に配置されている自機器の点検対象に属している設備に設置された計測機器が計測した設備の状態を表す計測値を収集するデータ収集機器と、データ収集機器が収集した計測値を取得し、データ収集機器に属している設備に対して行う点検項目が示された点検簿の点検結果に、取得した計測値を反映させる巡回点検装置と、を備える。【選択図】図１
2018073368.tif 000002
【特許請求の範囲】
【請求項１】
設備が配置された領域内の予め定められた位置に設置され、周辺の予め定めた範囲に配置されている自機器の点検対象に属している設備に設置された計測機器が計測した前記設備の状態を表す計測値を収集するデータ収集機器と、
前記データ収集機器が収集した前記計測値を取得し、前記データ収集機器に属している前記設備に対して行う点検項目が示された点検簿の点検結果に、取得した前記計測値を反映させる巡回点検装置と、
を備える、
ことを特徴とする巡回点検システム。
【請求項２】
前記データ収集機器ごとに対応する前記点検簿を少なくとも記憶する記憶装置を具備した点検サーバ装置、
をさらに備え、
前記巡回点検装置は、
前記点検サーバ装置から前記点検簿を取得し、取得した前記点検簿内の対応する前記点検結果に、対応する前記計測値を反映させる、
ことを特徴とする請求項１に記載の巡回点検システム。
【請求項３】
前記点検簿は、
前記点検項目に対して前記計測機器が紐づけられており、
前記巡回点検装置は、
前記点検簿内の前記点検項目に紐づけられている前記計測機器が計測した前記計測値を、対応する前記点検項目の前記点検結果として反映させる、
ことを特徴とする請求項２に記載の巡回点検システム。
【請求項４】
前記点検サーバ装置は、
前記設備が配置された領域内に配置された前記データ収集機器を巡回する経路が示された点検ルートを前記記憶装置にさらに記憶し、
前記巡回点検装置は、
前記点検サーバ装置から取得した前記点検ルートを表示し、
前記データ収集機器が収集した前記計測値を取得することができる取得範囲内の位置において取得した前記計測値を、前記データ収集機器に対応する前記点検簿に反映させる、
ことを特徴とする請求項２または請求項３に記載の巡回点検システム。
【請求項５】
前記巡回点検装置は、
前記計測値が反映された前記点検簿を報告書として前記点検サーバ装置に出力し、
前記報告書に基づいた点検指示を表示する、
ことを特徴とする請求項２から請求項４のいずれか１の項に記載の巡回点検システム。
【請求項６】
前記巡回点検装置は、
前記計測値が反映された前記点検簿または前記点検簿の報告書の少なくともいずれかの承認を依頼し、
前記承認の結果を表示する、
ことを特徴とする請求項１から請求項４のいずれか１の項に記載の巡回点検システム。
【請求項７】
設備が配置された領域内の予め定められた位置に設置され、周辺の予め定めた範囲に配置されている自機器の点検対象に属している設備に設置された計測機器が計測した前記設備の状態を表す計測値を収集するデータ収集機器が収集した前記計測値を取得し、前記データ収集機器に属している前記設備に対して行う点検項目が示された点検簿の点検結果に、取得した前記計測値を反映させる、
ことを特徴とする巡回点検装置。
【請求項８】
前記データ収集機器ごとに対応する前記点検簿を少なくとも記憶する記憶装置を具備した点検サーバ装置から、前記点検簿を取得し、取得した前記点検簿内の対応する前記点検結果に、対応する前記計測値を反映させる、
ことを特徴とする請求項７に記載の巡回点検装置。
【請求項９】
前記データ収集機器との間で通信を行う機器通信部と、
前記点検サーバ装置との間で通信を行うサーバ通信部と、
前記点検サーバ装置から取得した前記点検簿および前記計測値が反映された前記点検簿を表示する表示部と、
を備える、
ことを特徴とする請求項８に記載の巡回点検装置。
【請求項１０】
少なくとも前記点検簿および前記計測値が反映された前記点検簿を記憶する点検簿データ部と、
前記計測値が反映された前記点検簿を報告書として承認を依頼する承認依頼部と、
をさらに備える、
ことを特徴とする請求項９に記載の巡回点検装置。
【請求項１１】
設備が配置された領域内の予め定められた位置に設置され、周辺の予め定めた範囲に配置されている自機器の点検対象に属している設備に設置された計測機器が計測した前記設備の状態を表す計測値をデータ収集機器が収集する計測値収集ステップと、
前記データ収集機器が収集した前記計測値を取得する計測値取得ステップと、
前記データ収集機器に属している前記設備に対して行う点検項目が示された点検簿の点検結果に、取得した前記計測値を反映させる計測値反映ステップと、
を含むことを特徴とする巡回点検方法。
【請求項１２】
巡回点検装置のコンピュータに、
設備が配置された領域内の予め定められた位置に設置され、周辺の予め定めた範囲に配置されている自機器の点検対象に属している設備に設置された計測機器が計測した前記設備の状態を表す計測値を収集するデータ収集機器が収集した前記計測値を取得し、前記データ収集機器に属している前記設備に対して行う点検項目が示された点検簿の点検結果に、取得した前記計測値を反映させるステップ、
を実行させることを特徴とするプログラム。
【請求項１３】
巡回点検装置のコンピュータに、
設備が配置された領域内の予め定められた位置に設置され、周辺の予め定めた範囲に配置されている自機器の点検対象に属している設備に設置された計測機器が計測した前記設備の状態を表す計測値を収集するデータ収集機器が収集した前記計測値を取得し、前記データ収集機器に属している前記設備に対して行う点検項目が示された点検簿の点検結果に、取得した前記計測値を反映させるステップ、
を実行させるためのプログラムを記録したコンピュータ読み取り可能な記録媒体。
【発明の詳細な説明】
【技術分野】
【０００１】
本発明は、巡回点検システム、巡回点検装置、巡回点検方法、プログラム、および記録媒体に関する。
【背景技術】
【０００２】
様々な設備を持つプラントでは、プラント内の特定の場所に配置されているそれぞれの設備に対して、日常的な点検作業、故障や不具合などのトラブルに対応する作業が行われている。このような作業を行う作業員は、例えば、それぞれの設備において行う点検項目や点検作業の内容が示された紙媒体の点検簿などを携帯してプラント内を巡回し、それぞれの設備において、携帯してきた点検簿に基づいた作業を行う。例えば、作業員は、出向いたそれぞれの設備において、目視、打検、においなど、五感による点検作業や、温度計、振動計など、測定器を使用した手動の測定作業などを、携帯してきた点検簿に従って行う。また、作業員は、出向いた設備に対する簡単な保守（メンテナンス）作業を行う場合もある。例えば、出向いた設備が回転機である場合、この回転機に油を指したり、ねじを締め直したりするなどの保守作業を行う。作業員は、それぞれの設備に対して行った点検作業、測定作業、保守作業の結果を、携帯してきた紙媒体の点検簿に都度記入する。
【０００３】
日常的な点検作業においては、作業員が、予め割り当てられた点検ルートに従って点検する対象のそれぞれの設備の場所まで出向き、点検簿に示された点検リストに基づいて、それぞれの点検項目ごとに点検作業、測定作業、保守作業を行う。そして、作業員は、点検ルートに示された全ての設備に対する作業が終了した後に、例えば、事務所などに戻る。その後、作業員は、それぞれの設備に対して行った点検作業、測定作業、保守作業の結果をまとめた報告書を作成し、例えば、事務所などに待機している、プラントに配置されたそれぞれの設備を管理する管理者などに提出する。管理者は、作業員から提出された報告書にまとめられている報告内容を確認して、プラントに配置されたそれぞれの設備の健全な運用（健全性）を把握すると共に、提出された報告書を履歴として保管する。
【０００４】
このように、プラントでは、プラント内に配置されているそれぞれの設備に対する日常的な点検作業、測定作業、保守作業や、報告などの日常的な作業（以下、「巡回点検」という）を、紙媒体の点検簿や報告書に基づいて行っていた。この紙媒体に基づいた巡回点検では、点検簿や報告書の管理の観点（例えば、紛失や破損の可能性）、作業員の点検作業の不備（例えば、点検ミスや漏れなど）の観点、設備の健全性の把握（例えば、報告内容の妥当性など）の観点、巡回点検の効率（例えば、一連の巡回点検の作業に要する時間など）の観点で、様々な問題がある。例えば、雨の日の巡回点検において紙媒体の点検簿が雨に濡れてしまうと、点検簿が破損してしまったり、点検簿に示された点検リストに記入した結果（例えば、文字など）が見えなくなってしまったりする。この場合、作業員は、点検簿に基づいて報告書を作成するのに手間がかかり（例えば、設備のところに戻って確認するなど）、多くの時間を要してしまう。また、例えば、作業員の点検作業にミスや漏れがあったり、作業員から提出された報告書に記載されている報告内容に設備の異常や故障が報告されていたりする場合、管理者は、報告書の報告内容を承認せずに、再点検の指示や、報告された異常や故障に対する処置を指示することもある。この場合、作業員は、対象の設備の場所に再度出向いて点検作業をやり直したり、異常や故障に対応するための処置を行ったりすることになり、巡回点検が終了するまでに多くの時間を要してしまう。
【０００５】
そこで、例えば、特許文献１や特許文献２のように、作業員が携帯する携帯端末装置を用いて、それぞれの設備に対する点検作業を行う点検システム、つまり、ペーパーレス化を図った点検システムの技術が提案されている。特許文献１に開示された点検システムの技術では、可搬型端末が、設備に設置されたビーコンタグから発信された識別情報によってそれぞれの設備を認識し、認識した設備に対応する点検プログラムを起動することによって、作業員による点検作業を促す。そして、特許文献１に開示された点検システムの技術では、可搬型端末は、作業員によって入力された点検結果を、点検データを管理するサーバに送信する。また、特許文献２に開示された点検システムの技術では、携帯端末が、オンライン環境にあると判断された場合に、設備を点検するための点検ソフトウェアをサーバからダウンロードして起動し、点検作業の結果をサーバにアップロードする。これにより、特許文献１や特許文献２に開示された点検システムの技術では、設備を点検するための点検簿に相当すると考えられる点検プログラムや点検ソフトウェアを、点検を行う設備の位置で取得して点検作業を行うことができ、点検作業のミスや漏れを少なくすることができる。また、特許文献１や特許文献２に開示された点検システムの技術では、点検作業の結果を、電子データとして管理することができる。
【先行技術文献】
【特許文献】
【０００６】
【特許文献１】特開２０１６−１６２３３４号公報
【特許文献２】特開２０１５−０３６９０８号公報
【発明の概要】
【発明が解決しようとする課題】
【０００７】
上述したように、特許文献１や特許文献２には、点検する対象の設備のところまで作業員が出向いたときに、携帯端末装置が、点検簿に相当すると考えられる点検プログラムや点検ソフトウェアを取得する技術や、点検作業の結果をサーバに送信（アップロード）する技術が開示されている。しかしながら、特許文献１や特許文献２に開示された点検システムの技術においても、取得した点検簿に示された点検リストに基づいた点検作業は、紙媒体に基づいた巡回点検と同様に、作業員が行う。また、特許文献１や特許文献２に開示された点検システムの技術には、送信（アップロード）された点検作業の結果に基づいた報告書の作成に関して開示がされていない。このため、特許文献１や特許文献２に開示された点検システムの技術を用いても、紙媒体に基づいた巡回点検と同様に、作業員がプラント内を巡回して、点検作業、測定作業、保守作業などを行い、例えば、事務所などに戻ってから報告書の作成や報告内容の承認を管理者から得る手続きを行うことになる。
【０００８】
このように、特許文献１や特許文献２に開示された点検システムの技術では、点検簿や報告書の管理の観点（例えば、紛失や破損の可能性）の問題や、作業員の点検作業の不備（例えば、点検ミスや漏れなど）の観点の問題を解決することができるものの、設備の健全性の把握（例えば、報告内容の妥当性など）の観点の問題や、巡回点検の効率（例えば、一連の巡回点検の作業に要する時間など）の観点の問題までを解決するには至っていない。つまり、特許文献１や特許文献２に開示された点検システムの技術においても、報告書の作成、報告書に対する管理者の承認や、報告内容に記載された設備の異常や故障に対する処置の指示は、例えば、事務所などに戻ってから行われることになるため、一連の巡回点検の作業が終了するまでに、作業員が設備の場所に再度出向く可能性はなくなっていない。このため、特許文献１や特許文献２に開示された点検システムの技術においても、巡回点検においてそれぞれの作業を行うために移動する作業員の距離は、従来の紙媒体の点検簿に従った巡回点検のときと同様である。
【０００９】
また、特許文献１や特許文献２に開示された点検システムの技術では、点検を行った設備ごとに点検結果がまとまっていないため、設備ごとの点検結果へのまとめ、点検作業のやり直し（再点検）や、設備の異常や故障に対する処置などを迅速に行うことができず、作業員が全ての設備に対して作業を終了して、例えば、事務所などに戻ってきた後に対応することになる。つまり、特許文献１や特許文献２に開示された点検システムの技術では、適時に、適切な対応を行うことができないことがある。
【００１０】
本発明は、上記の課題に基づいてなされたものであり、プラント内に配置されたそれぞれの設備を巡回して行う作業において、それぞれの作業の確実性を向上させると共に、一連の作業に要する時間の短縮を図ることができる巡回点検システム、巡回点検装置、巡回点検方法、プログラム、および記録媒体を提供することを目的としている。
【課題を解決するための手段】
【００１１】
上記の課題を解決するため、本発明の巡回点検システムは、設備が配置された領域内の予め定められた位置に設置され、周辺の予め定めた範囲に配置されている自機器の点検対象に属している設備に設置された計測機器が計測した前記設備の状態を表す計測値を収集するデータ収集機器と、前記データ収集機器が収集した前記計測値を取得し、前記データ収集機器に属している前記設備に対して行う点検項目が示された点検簿の点検結果に、取得した前記計測値を反映させる巡回点検装置と、を備える、ことを特徴とする。
【００１２】
また、本発明の巡回点検システムは、前記データ収集機器ごとに対応する前記点検簿を少なくとも記憶する記憶装置を具備した点検サーバ装置、をさらに備え、前記巡回点検装置は、前記点検サーバ装置から前記点検簿を取得し、取得した前記点検簿内の対応する前記点検結果に、対応する前記計測値を反映させる、ことを特徴とする。
【００１３】
また、本発明の巡回点検システムにおける前記点検簿は、前記点検項目に対して前記計測機器が紐づけられており、前記巡回点検装置は、前記点検簿内の前記点検項目に紐づけられている前記計測機器が計測した前記計測値を、対応する前記点検項目の前記点検結果として反映させる、ことを特徴とする。
【００１４】
また、本発明の巡回点検システムにおける前記点検サーバ装置は、前記設備が配置された領域内に配置された前記データ収集機器を巡回する経路が示された点検ルートを前記記憶装置にさらに記憶し、前記巡回点検装置は、前記点検サーバ装置から取得した前記点検ルートを表示し、前記データ収集機器が収集した前記計測値を取得することができる取得範囲内の位置において取得した前記計測値を、前記データ収集機器に対応する前記点検簿に反映させる、ことを特徴とする。
【００１５】
また、本発明の巡回点検システムにおける前記巡回点検装置は、前記計測値が反映された前記点検簿を報告書として前記点検サーバ装置に出力し、前記報告書に基づいた点検指示を表示する、ことを特徴とする。
【００１６】
また、本発明の巡回点検システムにおける前記巡回点検装置は、前記計測値が反映された前記点検簿または前記点検簿の報告書の少なくともいずれかの承認を依頼し、前記承認の結果を表示する、ことを特徴とする。
【００１７】
また、本発明の巡回点検装置は、設備が配置された領域内の予め定められた位置に設置され、周辺の予め定めた範囲に配置されている自機器の点検対象に属している設備に設置された計測機器が計測した前記設備の状態を表す計測値を収集するデータ収集機器が収集した前記計測値を取得し、前記データ収集機器に属している前記設備に対して行う点検項目が示された点検簿の点検結果に、取得した前記計測値を反映させる、ことを特徴とする。
【００１８】
また、本発明の巡回点検装置は、前記データ収集機器ごとに対応する前記点検簿を少なくとも記憶する記憶装置を具備した点検サーバ装置から、前記点検簿を取得し、取得した前記点検簿内の対応する前記点検結果に、対応する前記計測値を反映させる、ことを特徴とする。
【００１９】
また、本発明の巡回点検装置は、前記データ収集機器との間で通信を行う機器通信部と、前記点検サーバ装置との間で通信を行うサーバ通信部と、前記点検サーバ装置から取得した前記点検簿および前記計測値が反映された前記点検簿を表示する表示部と、を備える、ことを特徴とする。
【００２０】
また、本発明の巡回点検装置は、少なくとも前記点検簿および前記計測値が反映された前記点検簿を記憶する点検簿データ部と、前記計測値が反映された前記点検簿を報告書として承認を依頼する承認依頼部と、をさらに備える、ことを特徴とする。
【００２１】
また、本発明の巡回点検方法は、設備が配置された領域内の予め定められた位置に設置され、周辺の予め定めた範囲に配置されている自機器の点検対象に属している設備に設置された計測機器が計測した前記設備の状態を表す計測値をデータ収集機器が収集する計測値収集ステップと、前記データ収集機器が収集した前記計測値を取得する計測値取得ステップと、前記データ収集機器に属している前記設備に対して行う点検項目が示された点検簿の点検結果に、取得した前記計測値を反映させる計測値反映ステップと、を含むことを特徴とする。
【００２２】
また、本発明のプログラムは、巡回点検装置のコンピュータに、設備が配置された領域内の予め定められた位置に設置され、周辺の予め定めた範囲に配置されている自機器の点検対象に属している設備に設置された計測機器が計測した前記設備の状態を表す計測値を収集するデータ収集機器が収集した前記計測値を取得し、前記データ収集機器に属している前記設備に対して行う点検項目が示された点検簿の点検結果に、取得した前記計測値を反映させるステップ、を実行させることを特徴とする。
【００２３】
また、本発明の記録媒体は、巡回点検装置のコンピュータに、設備が配置された領域内の予め定められた位置に設置され、周辺の予め定めた範囲に配置されている自機器の点検対象に属している設備に設置された計測機器が計測した前記設備の状態を表す計測値を収集するデータ収集機器が収集した前記計測値を取得し、前記データ収集機器に属している前記設備に対して行う点検項目が示された点検簿の点検結果に、取得した前記計測値を反映させるステップ、を実行させるためのプログラムを記録したコンピュータ読み取り可能な記録媒体である。
【発明の効果】
【００２４】
本発明によれば、プラント内に配置されたそれぞれの設備を巡回して行う作業において、それぞれの作業の確実性を向上させると共に、一連の作業に要する時間の短縮を図ることができる巡回点検システム、巡回点検装置、巡回点検方法、プログラム、および記録媒体を提供することができるという効果が得られる。
【図面の簡単な説明】
【００２５】
【図１】本発明の第１の実施形態における巡回点検システムの概略構成を示したブロック図である。
【図２】本第１の実施形態の巡回点検システムを構成する点検サーバ装置と点検端末装置との概略構成を示したブロック図である。
【図３】本第１の実施形態の巡回点検システムが構築されたプラントにおいて巡回点検の点検作業を行う様子の一例を模式的に示した図である。
【図４】本第１の実施形態の巡回点検システムが構築されたプラントにおいて巡回点検の点検作業を行う際の処理および作業の流れを示したシーケンス図である。
【図５】本第１の実施形態の巡回点検システムが構築されたプラントにおいて設備に設置されている計測機器の計測値を点検リストの対応する点検項目に入力する一例を模式的に示した図である。
【図６】本第１の実施形態の巡回点検システムが構築されたプラントにおいて巡回点検の点検作業を行った結果に応じた保守作業を指示する点検リストの一例を模式的に示した図である。
【図７】本第１の実施形態の巡回点検システムが構築されたプラントにおいて巡回点検の点検作業を行う際に移動する経路の一例を模式的に示した図である。
【図８】本第１の実施形態の巡回点検システムが構築されたプラントにおいて計測機器を点検リストに紐づける一例を模式的に示した図である。
【図９】本第１の実施形態の巡回点検システムが構築されたプラントにおいて計測機器を点検リストに紐づける第１の紐づけ作業を行う際の処理および作業の流れを示したシーケンス図である。
【図１０】本第１の実施形態の巡回点検システムが構築されたプラントにおいて計測機器を点検リストに紐づける第２の紐づけ作業を行う際の処理および作業の流れを示したシーケンス図である。
【図１１】本第１の実施形態の巡回点検システムが構築されたプラントにおいて巡回点検の点検作業を行う点検ルートおよび点検リストの別の一例を模式的に示した図である。
【図１２】本発明の第２の実施形態における巡回点検システムを構成する点検サーバ装置と点検端末装置との概略構成を示したブロック図である。
【図１３】本第２の実施形態の巡回点検システムが構築されたプラントにおいて巡回点検の点検作業を行う際の処理および作業の流れを示したシーケンス図である。
【発明を実施するための形態】
【００２６】
＜第１の実施形態＞
以下、本発明の実施形態について、図面を参照して説明する。図１は、本発明の第１の実施形態における巡回点検システムの概略構成を示したブロック図である。巡回点検システム１は、点検データベース１０と、点検サーバ装置２０と、点検端末装置３０と、データ収集機器４０と、少なくとも１つの計測機器４１とを含んで構成される。図１には、ｎ個（ｎ＝自然数、正の整数）の計測機器４１（計測機器４１ａ〜計測機器４１ｎ）を含んで構成される巡回点検システム１の構成を示している。
【００２７】
巡回点検システム１は、作業員ＦＯがプラント内を巡回し、プラント内に配置されたそれぞれの設備に対する点検作業、測定作業、保守（メンテナンス）作業や、報告書の作成作業などの様々な作業（以下、この一連の作業を「巡回点検」という）を行うためのシステムである。なお、プラントとしては、石油の精製や化学製品の生産を行う工業プラントの他、ガス田や油田などの井戸元やその周辺を管理制御するプラント、水力・火力・原子力などの発電を管理制御するプラント、太陽光や風力などの環境発電を管理制御するプラント、上下水やダムなどを管理制御するプラントなどが含まれる。
【００２８】
巡回点検システム１が構築されたプラントにおいて作業員ＦＯは、点検端末装置３０を携帯し、予め点検サーバ装置２０から取得した点検ルートに従ってプラント内に設置されたチェックポイントを巡回することによって、巡回点検におけるそれぞれの作業を行う。巡回点検システム１では、それぞれのチェックポイントごとにデータ収集機器４０が設置されている。それぞれのデータ収集機器４０には、チェックポイントとして設置された位置の周辺の予め定めた範囲（エリア）に配置されている設備が属している。ここで、それぞれのチェックポイント（データ収集機器４０）に属する設備には、計測機器４１が予め定められた位置に設置されている設備が含まれている。言い換えれば、巡回点検システム１では、チェックポイントとして設置されたデータ収集機器４０に、周辺の予め定めた範囲（エリア）内に配置されている設備に予め設置されている計測機器４１が属している。
【００２９】
作業員ＦＯは、それぞれのチェックポイントにおいて点検端末装置３０を操作し、現在の位置のチェックポイントに対応する点検簿を点検サーバ装置２０から取得する。このとき、点検端末装置３０には、それぞれのチェックポイントであるデータ収集機器４０からも、データ収集機器４０に属している計測機器４１のデータ（計測値）が取得される。これにより、巡回点検システム１では、それぞれのチェックポイントに対応する点検簿に示された点検リストに、対応する計測機器４１の計測値が反映される。
【００３０】
そして、作業員ＦＯは、計測機器４１の計測値が反映された点検リスト（点検簿）が、例えば、事務所などに待機している管理者Ｍによって承認された後、次のチェックポイントに移動する。
【００３１】
このように、巡回点検システム１が構築されたプラントにおいて作業員ＦＯは、点検端末装置３０を携帯しながらチェックポイントに出向いて対応する点検簿を点検サーバ装置２０から取得し、チェックポイントの周辺の予め定めた範囲（エリア）に配置されている設備の計測値が反映された点検リスト（点検簿）に対して管理者Ｍの承認を得ながら、プラント内に設置されたそれぞれのチェックポイントを巡回する。これにより、巡回点検システム１が構築されたプラントでは、プラント内に配置されたそれぞれの設備に対する一連の巡回点検の作業を行うことができる。
【００３２】
なお、一般的に、プラントには複数の作業員ＦＯが所属している。そして、それぞれの作業員ＦＯは、各自が担当するプラント内の範囲に設置されたチェックポイントを、点検端末装置３０を携帯しながら巡回することによって、それぞれの巡回点検の作業を行う。このため、巡回点検システム１は、それぞれの作業員ＦＯが携帯する複数の点検端末装置３０を含んで構成されてもよい。また、プラントにおいては、複数のチェックポイントが設置されていることが考えられる。このため、巡回点検システム１は、それぞれのチェックポイントに設置された複数のデータ収集機器４０を含んで構成されてもよい。なお、図１には、点検データベース１０、点検サーバ装置２０、１つの点検端末装置３０、ｎ個の計測機器４１ａ〜計測機器４１ｎが属している１つのデータ収集機器４０から構成されている巡回点検システム１を示している。
【００３３】
点検サーバ装置２０は、巡回点検システム１が構築されたプラント内に配置された設備に関する様々なデータや情報を管理するサーバ装置である。点検サーバ装置２０は、例えば、プラント内に配置されたそれぞれの設備の運用（稼働）を管理する事務所などに設置される。
【００３４】
点検サーバ装置２０は、プラント内に構築された無線通信ネットワークを介して、点検端末装置３０と通信し、点検端末装置３０との間でデータや情報を送受信する。より具体的には、点検サーバ装置２０は、点検端末装置３０からの要求に応じて、作業員ＦＯが巡回点検を行う際の点検ルートや、作業員ＦＯが到着したチェックポイントに対応する点検簿のデータなどを点検データベース１０から取得し、取得したデータを点検端末装置３０に送信（出力）する。また、点検サーバ装置２０は、点検端末装置３０から送信されてきた、点検作業、測定作業、保守作業などの作業の結果や、これらの結果が反映された点検簿のデータや情報、つまり、作業員ＦＯが行っている巡回点検の作業の結果を受信し、受信したデータや情報を点検データベース１０に記憶させて管理する。
【００３５】
なお、点検サーバ装置２０は、インターネット上にデータを保有して利用する、いわゆる、クラウドコンピューティングシステムに備えたクラウドサーバ装置であってもよい。
【００３６】
点検データベース１０は、巡回点検システム１が構築されたプラント内に配置されたそれぞれの設備に対して行う巡回点検の作業に関する様々なデータを記憶する記憶装置である。点検データベース１０も、点検サーバ装置２０と同様に、例えば、事務所などに設置され、点検サーバ装置２０との間でデータのやり取りを行う。
【００３７】
点検データベース１０は、巡回点検を行う際に巡回する経路が示された点検ルートのデータ、プラント内に配置されたそれぞれの設備に対して行う点検作業、測定作業、保守作業（トラブル対応の作業も含む）などの様々な作業の内容（項目）を表した点検リストなどを点検簿のデータとしてデータベース化し、記憶している。なお、点検データベース１０が記憶している点検ルートには、プラント内に設置されたチェックポイントを移動する順番なども示されている。また、点検データベース１０が記憶している点検簿は、それぞれのチェックポイントに属する設備に対して行う作業の内容（項目）を表した点検リストをまとめて、プラント内に設置されたそれぞれのチェックポイントに紐づけられている。
【００３８】
また、点検データベース１０は、巡回点検システム１が構築されたプラント内に配置されたそれぞれの設備に対して行われた点検作業、測定作業、保守作業などの作業の結果がまとめられた報告書のデータなどを、データベース化して記憶している。
【００３９】
なお、点検データベース１０は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリ（Ｆｌａｓｈ  Ｍｅｍｏｒｙ）などの種々のメモリや、ＨＤＤ（Ｈａｒｄ  ｄｉｓｋ  ｄｒｉｖｅ）などの記憶装置で構成される。なお、点検データベース１０が記憶するデータや情報は、上述したような点検ルートや点検簿のデータに限定されるものではなく、巡回点検システム１において用いる種々のデータや情報が含まれる。例えば、点検データベース１０は、巡回点検を行う際に点検サーバ装置２０や点検端末装置３０が実行する点検プログラムや点検ソフトウェアを記憶しておいてもよい。
【００４０】
なお、点検サーバ装置２０が、クラウドコンピューティングシステムに備えたクラウドサーバ装置である場合、点検データベース１０は、クラウドコンピューティングシステムにおいてクラウドサーバ装置が利用するインターネット上のデータを保有する記憶装置であってもよい。
【００４１】
点検端末装置３０は、巡回点検システム１が構築されたプラントにおいて作業員ＦＯが巡回点検の作業を行う際に使用する巡回点検装置である。点検端末装置３０は、巡回点検を行う際に、作業員ＦＯが携帯してプラント内の担当する範囲に設置されたチェックポイントを巡回しながら使用されるため、携帯端末装置として構成されている。巡回点検システム１では、点検端末装置３０と点検サーバ装置２０とが、プラント内に構築された無線通信ネットワークによって接続され、点検端末装置３０は、点検サーバ装置２０のクライアントとして動作する。つまり、巡回点検システム１では、点検端末装置３０と点検サーバ装置２０とが、クライアント−サーバ型のシステムとして構成されている。
【００４２】
なお、点検端末装置３０は、プラント内において専用に使用される携帯端末装置であってもよい。また、点検端末装置３０は、例えば、パーソナルコンピュータ（ＰＣ）や、携帯情報端末（ＰＤＡ：Ｐｅｒｓｏｎａｌ  Ｄｉｇｉｔａｌ  Ａｓｓｉｓｔａｎｔ）の機能を備えた、いわゆる、タブレット端末などの携帯端末機器であってもよい。また、点検端末装置３０は、既存の移動体通信網を利用した携帯電話の機能と、携帯情報端末の機能とを融合させた、いわゆる、スマートフォンなどの携帯通信端末機器であってもよい。
【００４３】
以下の説明においては、点検端末装置３０が、文字や画像を表示する表示部と、作業員ＦＯの操作を受け付けるユーザーインターフェース部とを備え、この表示部とユーザーインターフェース部とが組み合わされたタッチパネルとして搭載されている携帯端末装置として構成されているものとして説明する。
【００４４】
点検端末装置３０は、巡回点検を行う際の点検ルートや、それぞれのチェックポイントに対応する点検簿などを、作業員ＦＯに提示する機能を備えている。より具体的には、点検端末装置３０は、巡回点検を開始する前の作業員ＦＯによる操作に応じて、チェックポイントを巡回する順番が示された点検ルートを点検サーバ装置２０から取得し、取得した点検ルートを作業員ＦＯに提示する機能を備えている。この機能によって、作業員ＦＯは、今回の巡回点検において出向くチェックポイントの順番を容易に確認することができる。
【００４５】
また、点検端末装置３０は、チェックポイントに到着したときの作業員ＦＯによる操作に応じて、到着した現在の位置のチェックポイントに紐づけられた点検簿のデータを点検サーバ装置２０から取得し、取得した点検簿や点検簿に示された点検リストを作業員ＦＯに提示する機能を備えている。この機能によって、作業員ＦＯは、点検簿によって提示された点検リストから、現在の位置のチェックポイントに属する設備に対して行う点検作業、測定作業、保守作業などの作業（以下、まとめて「点検作業」という）の内容を容易に確認することができ、点検端末装置３０を操作することによって、提示された点検リストに従って行った点検作業の結果（以下、「点検結果」という）を容易に入力することができる。
【００４６】
また、点検端末装置３０は、データ収集機器４０が収集した計測機器４１のデータ（計測値）を取得し、取得した計測機器４１の計測値を、点検簿に示された点検リストの対応する点検項目に反映させる機能を備えている。より具体的には、点検端末装置３０は、チェックポイントに到着した作業員ＦＯによる操作に応じて、現在の位置のチェックポイントに設置されているデータ収集機器４０から、このデータ収集機器４０に属している計測機器４１が収集したデータ（計測値）を受信（取得）し、取得した計測機器４１の計測値を、すでに取得している点検簿に示された点検リスト内の対応する点検項目に入力（反映）して作業員ＦＯに提示する機能を備えている。この機能によって、作業員ＦＯは、現在の位置のチェックポイントに属する設備に対して行う点検作業の中から、点検簿に示された点検リストにおいて計測値が入力されていない点検作業の項目、つまり、これから実施する必要がある点検作業の内容を容易に確認することができる。そして、作業員ＦＯは、実施する必要がある点検作業のみを行って、点検結果を点検端末装置３０に入力することができる。
【００４７】
ここで、巡回点検システム１においては、上述したように、それぞれのチェックポイントに設置されているデータ収集機器４０に属している計測機器４１の計測値が入力（反映）された点検リスト（点検簿）に対して管理者Ｍの承認を得ながら、それぞれのチェックポイントを巡回することによって、一連の巡回点検の作業を行う。以下の説明においては、それぞれのチェックポイントにおいて点検サーバ装置２０から取得した点検簿と、計測機器４１の計測値や作業員ＦＯが実施した点検作業の点検結果が入力（反映）された点検簿とを区別して説明する。そして、以下の説明においては、それぞれのチェックポイントに作業員ＦＯが到着したときに点検端末装置３０が点検サーバ装置２０から取得した、それぞれのチェックポイントに紐づけられた点検簿（点検リスト）、つまり、計測機器４１の計測値や作業員ＦＯによる点検結果が反映される前の点検簿を、「点検簿」という。また、以下の説明においては、それぞれのチェックポイントに設置されているデータ収集機器４０に属している計測機器４１の計測値や、現在の位置のチェックポイントにおいて作業員ＦＯが実施した点検作業の点検結果が入力（反映）された点検簿（点検リスト）を、「報告書」という。
【００４８】
また、点検端末装置３０は、報告書（計測機器４１の計測値や、作業員ＦＯが実施した点検作業の点検結果が入力された点検簿（点検リスト））を、管理者Ｍに提示する機能を備えている。より具体的には、点検端末装置３０は、現在の位置のチェックポイントにおける点検作業を終了したときの作業員ＦＯによる操作に応じて、報告書と、この報告書の承認依頼を、点検サーバ装置２０に送信（出力）する機能を備えている。この機能によって、作業員ＦＯは、今回の巡回点検において出向いた現在の位置のチェックポイントにおいて行った点検作業の点検結果を、すぐに報告書として正確に、かつ、容易に報告し、管理者Ｍに対して報告書の承認を依頼することができる。そして、管理者Ｍは、点検サーバ装置２０によって、点検端末装置３０から報告書として送信されてきた、計測機器４１の計測値や作業員ＦＯが実施した点検作業の点検結果が入力された点検リスト（点検簿）、つまり、作業員ＦＯが実施した点検作業の結果をすぐに確認して、点検作業の結果の承認、再点検の指示、新たに行う必要がある保守作業などの作業の指示などを行うことができる。
【００４９】
また、点検端末装置３０は、送信（出力）した報告書に対する判定結果を作業員ＦＯに提示する機能を備えている。より具体的には、点検端末装置３０は、管理者Ｍによる報告書の承認結果や、新たに行う必要がある作業の指示の情報が点検サーバ装置２０から送信されてきたときに、送信されてきた情報を作業員ＦＯに提示する機能を備えている。この機能によって、作業員ＦＯは、提示した報告書が承認されたか否か、再度点検作業を行う必要があるか否か、新たな点検作業を実施する必要があるか否かを、容易に確認することができる。作業員ＦＯは、提示した報告書が承認された場合には、次のチェックポイントに向かう。また、作業員ＦＯは、提示した報告書が承認されなかった場合には、点検結果が承認されなかった点検作業を再度行い、新たな点検作業が必要になった場合には、指示された新たな点検作業を行う。
【００５０】
このように、点検端末装置３０は、プラント内に構築された無線通信ネットワークを介して、点検サーバ装置２０と通信し、点検サーバ装置２０との間でデータや情報を送受信する。また、点検端末装置３０は、それぞれのチェックポイントとして設置されているデータ収集機器４０から、このデータ収集機器４０に属している計測機器４１の計測値を取得し、点検結果として点検簿に示された点検リストの対応する点検項目に反映させる。
【００５１】
なお、点検サーバ装置２０が、クラウドコンピューティングシステムに備えたクラウドサーバ装置である場合、点検端末装置３０は、例えば、ウェブサービス（Ｗｅｂサービス）などの公衆のネットワーク通信網であるインターネットによって点検サーバ装置２０と接続される構成であってもよい。この場合、巡回点検システム１は、点検端末装置３０と点検サーバ装置２０とによるウェブ（Ｗｅｂ）アプリケーション型のシステムとして構成されることになる。
【００５２】
計測機器４１は、プラント内に配置された設備の予め定められた位置に設置され、設備の動作状態を計測するセンサ機器である。計測機器４１は、設置されている位置において、設備が稼働しているときの動作状態（例えば、圧力、温度、流量など）を計測し、計測した設備の動作状態を表す計測値と、計測機器４１自体を識別するための識別情報（識別ＩＤ、以下、「機器ＩＤ」という）とを紐づけて、データ収集機器４０に出力する。なお、計測機器４１は、プラント内に配置されたそれぞれの設備が稼働している状態の監視や設備の運転の制御を行うことを目的として設置された、フィールド機器と呼ばれる現場機器（測定器や操作器）であってもよい。この場合、計測機器４１としての現場機器は、監視している設備が稼働している状態を表す計測値や、制御している設備の運転の状態を表す制御値と、識別情報とを紐づけて、データ収集機器４０に出力する。
【００５３】
本発明においては、１つの設備に設置される計測機器４１の数や、１つの計測機器４１が計測する設備の動作状態に関しては、特に規定しない。つまり、計測機器４１は、それぞれの設備に対して１つ設置されてもよいが、１つの設備に対して複数設置されてもよい。また、計測機器４１は、設備が稼働しているときの複数の動作状態（例えば、圧力と温度など）を計測することができる構成であってもよい。計測機器４１が設置される設備が、例えば、プラント内に配置された設備としての回転機である場合、回転機の振動を計測する計測機器４１ａと、回転機の温度を計測する計測機器４１ｂとが、１つの回転機に設置されてもよい。また、例えば、計測機器４１ａが、回転機の振動と温度とを計測してもよい。
【００５４】
また、本発明においては、計測機器４１がデータ収集機器４０に出力する計測値と識別情報のとのデータの形式に関しては、アナログ信号、デジタル信号を問わず、特に規定しない。また、本発明においては、計測機器４１が計測値と識別情報とをデータ収集機器４０に出力する際の出力方法に関しても、有線、無線を問わず、特に規定しない。
【００５５】
データ収集機器４０は、巡回点検システム１におけるチェックポイントとしてプラント内の予め定められた位置に設置されたゲートウェイ装置である。データ収集機器４０は、設置されている位置の周辺の予め定めた範囲（エリア）に配置されている設備に予め設置されている対応する計測機器４１から出力されたデータ、つまり、識別情報が紐づけられた計測値（以下、単に「計測値」という）を収集する。また、データ収集機器４０は、点検端末装置３０からの要求に応じて、プラント内に設置されたチェックポイントとして識別するための識別情報（識別ＩＤ、以下、「点検ＩＤ」という）や、対応する計測機器４１から収集したデータ（計測値）を、点検端末装置３０に出力する。
【００５６】
本発明においては、データ収集機器４０がチェックポイントとして識別するための識別情報や、対応する計測機器４１から収集したデータ（計測値）を点検端末装置３０に出力する際の出力方法、つまり、通信規格に関しては、有線、無線を問わず、特に規定しない。データ収集機器４０と点検端末装置３０とが、例えば、ブルートゥース（Ｂｌｕｅｔｏｏｔｈ（登録商標））などの短距離無線通信規格や、ＷｉＦｉ（登録商標）などの無線通信規格など、無線通信によって信号の送受信を行う機能を備えている場合、データ収集機器４０は、無線通信によってデータや情報の送受信を行うことができる範囲（通信可能範囲）内に存在する点検端末装置３０から無線通信によって送信されてきた要求に応じて、識別情報や収集したデータ（計測値）を、無線通信によって送信（出力）する。また、データ収集機器４０と点検端末装置３０とが、例えば、ＵＳＢ（Ｕｎｉｖｅｒｓａｌ  Ｓｅｒｉａｌ  Ｂｕｓ（登録商標））などの有線インタフェースによって接続される機能を備えている場合、データ収集機器４０は、接続された点検端末装置３０からの要求に応じて、識別情報や収集したデータ（計測値）を出力する。また、データ収集機器４０と点検端末装置３０とが、例えば、ＮＦＣ（Ｎｅａｒ  Ｆｉｅｌｄ  ｒａｄｉｏ  Ｃｏｍｍｕｎｉｃａｔｉｏｎ）などの近距離無線通信によってデータや情報の送受信を行う機能を備えている場合、データ収集機器４０は、点検端末装置３０との間で近距離無線通信を行って、点検端末装置３０から要求された識別情報や収集したデータ（計測値）を出力する。
【００５７】
なお、データ収集機器４０は、例えば、ＩＳＡ１００．１１ａやＷｉｒｅｌｅｓｓ  ＨＡＲＴ（登録商標）など、プラント内に構築される種々の工業用の無線通信規格に準拠した無線通信ネットワーク内に含まれるゲートウェイの機能を備えている構成であってもよい。この場合、データ収集機器４０と点検端末装置３０とは、プラント内に構築された無線通信ネットワークによってデータや情報の送受信を行ってもよい。
【００５８】
次に、本発明の第１の実施形態の巡回点検システム１を構成する点検サーバ装置２０と点検端末装置３０とのそれぞれの構成について説明する。図２は、本第１の実施形態の巡回点検システム１を構成する点検サーバ装置２０と点検端末装置３０との概略構成を示したブロック図である。なお、図２においては、巡回点検システム１を構成する点検データベース１０とデータ収集機器４０とも併せて示している。点検サーバ装置２０は、制御部２０１と、クライアント通信部２０２と、データインターフェース部２０３と、表示部２０４と、作業承認部２０５とを含んで構成される。また、点検端末装置３０は、制御部３０１と、サーバ通信部３０２と、点検簿データ部３０３と、機器通信部３０４と、表示部３０５と、作業承認依頼部３０６とを含んで構成される。
【００５９】
まず、点検端末装置３０に備えたそれぞれの構成要素について説明する。
【００６０】
制御部３０１は、点検端末装置３０の全体の動作を制御する。より具体的には、制御部３０１は、点検端末装置３０に備えたそれぞれの構成要素、つまり、サーバ通信部３０２、点検簿データ部３０３、機器通信部３０４、表示部３０５、および作業承認依頼部３０６の動作を制御する。また、制御部３０１は、作業員ＦＯが点検作業を行う際に使用する、点検端末装置３０に備えた不図示の点検用の構成要素の動作を制御する。
【００６１】
サーバ通信部３０２は、例えば、作業員ＦＯによる点検端末装置３０の操作に応じて制御部３０１から出力された通信の制御に従って、プラント内に構築された無線通信ネットワークによって、点検サーバ装置２０に備えたクライアント通信部２０２との間で通信を行う通信機能部である。
【００６２】
より具体的には、サーバ通信部３０２は、巡回点検を開始する前の作業員ＦＯによる点検端末装置３０の操作に応じて制御部３０１から出力された点検ルートを取得する指示に従って、点検ルートの要求をクライアント通信部２０２に送信する。そして、サーバ通信部３０２は、点検ルートの要求に応じてクライアント通信部２０２から送信されてきた点検ルートのデータを受信して制御部３０１に出力する。これにより、制御部３０１は、サーバ通信部３０２から出力された点検ルートのデータを点検簿データ部３０３に出力して記憶させる。また、サーバ通信部３０２は、チェックポイントに到着したときの作業員ＦＯによる点検端末装置３０の操作に応じて制御部３０１から出力された点検簿を取得する指示に従って、点検簿の要求をクライアント通信部２０２に送信する。そして、サーバ通信部３０２は、点検簿の要求に応じてクライアント通信部２０２から送信されてきた点検簿のデータを受信して制御部３０１に出力する。これにより、制御部３０１は、サーバ通信部３０２から出力された点検簿のデータを点検簿データ部３０３に出力して記憶させる。さらに、サーバ通信部３０２は、現在の位置のチェックポイントにおける点検作業を終了して報告書の承認を管理者Ｍに依頼するときの作業員ＦＯによる点検端末装置３０の操作に応じて制御部３０１から出力された承認依頼を要求する指示に従って、報告書のデータと承認依頼の要求とをクライアント通信部２０２に送信する。そして、サーバ通信部３０２は、承認依頼の要求に応じてクライアント通信部２０２から送信されてきた承認結果や、新たに行う点検作業の指示の情報を受信して制御部３０１に出力する。これにより、制御部３０１は、サーバ通信部３０２から出力された承認結果や新たな点検作業の指示の情報を表示部３０５に出力して表示させる。
【００６３】
機器通信部３０４は、例えば、作業員ＦＯによる点検端末装置３０の操作に応じて制御部３０１から出力された通信の制御に従って、データ収集機器４０との間で通信を行う通信機能部である。
【００６４】
より具体的には、機器通信部３０４は、チェックポイントに到着したときの作業員ＦＯによる点検端末装置３０の操作に応じて制御部３０１から出力された計測機器４１の計測値を取得する指示に従って、収集した計測値のデータの要求をデータ収集機器４０に送信する。そして、機器通信部３０４は、計測値のデータの要求に応じてデータ収集機器４０から送信されてきた計測値のデータを受信して制御部３０１に出力する。これにより、制御部３０１は、機器通信部３０４から出力された計測値のデータを、点検簿データ部３０３に記憶している点検簿のデータに追加して、つまり、点検簿に示された点検リストの対応する点検項目に計測値を反映させて、点検簿データ部３０３に記憶している点検簿を更新させる。
【００６５】
点検簿データ部３０３は、制御部３０１からの制御に応じて、制御部３０１から出力されたデータを記憶、または記憶しているデータを制御部３０１に出力するデータ記憶装置である。より具体的には、点検簿データ部３０３は、制御部３０１からのデータ書き込みの制御に応じて、制御部３０１から出力された点検ルートや、点検簿のデータを記憶する。また、点検簿データ部３０３は、制御部３０１からのデータ更新の制御に応じて、記憶している点検簿のデータに含まれる点検結果のデータ領域（点検簿に示された点検リストにおいて制御部３０１から指定された点検作業の項目の点検結果のデータ領域）に、制御部３０１から出力された計測機器４１の計測値のデータや、作業員ＦＯが実施した点検作業の点検結果のデータを記憶（更新）する。また、点検簿データ部３０３は、制御部３０１からのデータ読み出しの制御に応じて、記憶しているデータ（点検ルートのデータや点検簿のデータなど）を、制御部３０１に出力する。
【００６６】
なお、点検簿データ部３０３は、制御部３０１からの制御に応じて、制御部３０１から出力されたデータを一時的に記憶（保持）する、例えば、ＤＲＡＭ（Ｄｙｎａｍｉｃ  Ｒａｎｄｏｍ  Ａｃｃｅｓｓ  Ｍｅｍｏｒｙ）などの構成であってもよい。
【００６７】
表示部３０５は、制御部３０１から出力されたデータに応じた表示画面を生成して表示することによって、点検端末装置３０を携帯している作業員ＦＯに様々な情報を提示する表示部である。より具体的には、表示部３０５は、制御部３０１から出力された点検ルートや点検簿のデータに応じた表示画面を生成して作業員ＦＯに提示する。また、表示部３０５は、制御部３０１から出力された承認結果や新たな点検作業の指示の情報に応じた表示画面を生成して作業員ＦＯに提示する。表示部３０５は、例えば、液晶ディスプレイ（ＬＣＤ：Ｌｉｑｕｉｄ  Ｃｒｙｓｔａｌ  Ｄｉｓｐｌａｙ）などの表示デバイスを含んで構成される。
【００６８】
作業承認依頼部３０６は、作業員ＦＯによる報告書の承認依頼の要求の操作を受け付ける、例えば、ボタンやスイッチ類などを含んで構成されるユーザーインターフェースである。作業承認依頼部３０６は、作業員ＦＯによる報告書の承認依頼の要求の操作を受け付けると、報告書の承認依頼の要求を受け付けたことを表す情報を制御部３０１に出力する。
【００６９】
なお、点検端末装置３０には、作業員ＦＯによって様々な操作が行われる。より具体的には、点検端末装置３０には、作業員ＦＯによる報告書の承認依頼を要求する操作のみではなく、巡回点検を開始する前に点検ルートの取得を指示する操作、チェックポイントに到着したときに点検簿の取得を指示する操作、チェックポイントに属する設備に対して点検作業を行う際に不図示の点検用の構成要素の動作を指示する操作、実施した点検作業の点検結果を入力する操作など、作業員ＦＯによって様々な操作が行われる。以下の説明においては、作業員ＦＯによって行われる報告書の承認依頼を要求する操作以外の操作も、作業承認依頼部３０６が受け付ける構成であるものとして説明する。なお、点検端末装置３０は、文字や画像を表示する表示部と、作業員ＦＯの操作を受け付けるユーザーインターフェース部とが組み合わされたタッチパネルが搭載されている携帯端末装置の構成であるものとした。従って、点検端末装置３０において作業承認依頼部３０６は、表示部３０５内に備えられる押圧センサによって構成され、表示部３０５と組み合わされたタッチパネルとして構成されている。このため、作業承認依頼部３０６は、作業員ＦＯによるタップやフリックなどの各種のタッチ操作を検出し、検出した操作から、作業員ＦＯによる点検端末装置３０への種々の操作を判定して受け付ける。そして、作業承認依頼部３０６は、受け付けた作業員ＦＯの操作を表す情報、つまり、上述したような点検端末装置３０への種々の要求や指示の操作を表す情報を、制御部３０１に出力する。例えば、作業承認依頼部３０６は、検出した作業員ＦＯによるタッチ操作から、作業員ＦＯによる報告書の承認依頼を要求する操作を判定する。そして、作業承認依頼部３０６は、作業員ＦＯの操作が、報告書の承認依頼を要求する操作であると判定した場合、報告書の承認依頼の要求を受け付けたことを表す情報を制御部３０１に出力する。なお、作業承認依頼部３０６は、表示部３０５と組み合わされたタッチパネルとしての構成に限定されるものではない。
【００７０】
続いて、点検サーバ装置２０に備えたそれぞれの構成要素について説明する。
【００７１】
制御部２０１は、点検サーバ装置２０の全体の動作を制御する。より具体的には、制御部２０１は、点検サーバ装置２０に備えたそれぞれの構成要素、つまり、クライアント通信部２０２、データインターフェース部２０３、表示部２０４、および作業承認部２０５の動作を制御する。
【００７２】
クライアント通信部２０２は、制御部３０１から出力された通信の制御に従って、プラント内に構築された無線通信ネットワークによって、点検端末装置３０に備えたサーバ通信部３０２との間で通信を行う通信機能部である。
【００７３】
より具体的には、クライアント通信部２０２は、サーバ通信部３０２から送信されてきた点検ルートの要求を受信すると、点検ルートが要求されたことを表す情報を制御部２０１に出力する。これにより、制御部２０１は、要求された点検ルートのデータを、データインターフェース部２０３を介して点検データベース１０から読み出し、読み出した点検ルートのデータをクライアント通信部２０２に出力する。クライアント通信部２０２は、制御部２０１から出力された点検ルートのデータを、サーバ通信部３０２に送信する。また、クライアント通信部２０２は、サーバ通信部３０２から送信されてきた点検簿の要求を受信すると、点検簿が要求されたことを表す情報を制御部２０１に出力する。これにより、制御部２０１は、要求された点検簿のデータを、データインターフェース部２０３を介して点検データベース１０から読み出し、読み出した点検簿のデータをクライアント通信部２０２に出力する。クライアント通信部２０２は、制御部２０１から出力された点検簿のデータを、サーバ通信部３０２に送信する。さらに、クライアント通信部２０２は、サーバ通信部３０２から送信されてきた報告書のデータと承認依頼の要求を受信すると、報告書のデータと、承認依頼の要求がされたことを表す情報を制御部２０１に出力する。これにより、制御部２０１は、クライアント通信部２０２から出力された報告書のデータを、データインターフェース部２０３を介して点検データベース１０に出力して記憶（保存）させると共に、表示部２０４に出力して表示させる。そして、制御部２０１は、作業承認部２０５から出力された承認結果や、新たに行う点検作業の指示の情報をクライアント通信部２０２に出力する。クライアント通信部２０２は、制御部２０１から出力された承認結果や、新たに行う点検作業の指示の情報を、サーバ通信部３０２に送信する。
【００７４】
データインターフェース部２０３は、制御部２０１からの制御に応じて、制御部２０１から出力されたデータの点検データベース１０への書き込み（保存）、または点検データベース１０に記憶（保存）しているデータの読み出しを制御する記憶装置制御部である。より具体的には、データインターフェース部２０３は、制御部２０１からのデータ書き込みの制御に応じて、制御部２０１から出力された報告書のデータを、点検データベース１０に書き込み、保存させる。また、データインターフェース部２０３は、制御部２０１からのデータ読み出しの制御に応じて、点検データベース１０に記憶（保存）されている点検ルートや点検簿のデータを読み出し、読み出した点検ルートや点検簿のデータを制御部２０１に出力する。
【００７５】
表示部２０４は、制御部２０１から出力されたデータに応じた表示画面を生成して表示することによって、点検サーバ装置２０を操作する管理者Ｍに様々な情報を提示する表示部である。より具体的には、表示部２０４は、制御部２０１から出力された報告書のデータに応じた表示画面を生成して管理者Ｍに提示する。表示部２０４は、例えば、液晶ディスプレイ（ＬＣＤ：Ｌｉｑｕｉｄ  Ｃｒｙｓｔａｌ  Ｄｉｓｐｌａｙ）などの表示デバイスを含んで構成される。なお、表示部２０４は、点検サーバ装置２０に接続された表示装置であってもよい。
【００７６】
作業承認部２０５は、管理者Ｍによる報告書の承認の操作を受け付ける、例えば、キーボードなどの入力デバイスや、マウスなどのポインティングデバイスなどを含んで構成されるユーザーインターフェースである。作業承認部２０５は、管理者Ｍの操作による報告書に対する承認や非承認などの承認結果の操作を受け付けると、受け付けた承認結果を表す情報を、制御部２０１に出力する。これにより、制御部２０１は、作業承認部２０５から出力された承認結果の情報をクライアント通信部２０２に出力して、サーバ通信部３０２に送信させる。
【００７７】
なお、点検サーバ装置２０は、管理者Ｍによってプラント内に配置された設備の巡回点検に関する様々な操作が行われる。より具体的には、点検サーバ装置２０は、管理者Ｍによる報告書の承認の操作のみではなく、点検ルートの設定や点検簿（点検リスト）の入力（作成）にも用いられる。また、点検サーバ装置２０は、管理者Ｍが表示部２０４に表示された報告書に示された計測機器４１の計測値や作業員ＦＯが実施した点検作業の点検結果が入力された点検リスト（点検簿）、つまり、作業員ＦＯが実施した点検作業の結果から判断した点検作業のやり直し（再点検）の指示や、新たな点検作業の指示および指示内容の入力にも用いられる。以下の説明においては、管理者Ｍによって行われる報告書の承認結果を入力する操作以外の指示や指示内容の入力操作も、作業承認部２０５によって行われる構成であるものとして説明する。従って、作業承認部２０５は、管理者Ｍによって入力された指示や指示内容を表す情報やデータ、つまり、上述したような巡回点検に関する種々の指示や内容を表す情報やデータを、制御部２０１に出力する。これにより、制御部２０１は、作業承認部２０５から出力された指示や内容を表す情報やデータ（例えば、再点検や新たな点検作業の内容を表す情報やデータ）をクライアント通信部２０２に出力して、サーバ通信部３０２に送信させる。
【００７８】
このような構成によって、巡回点検システム１では、点検端末装置３０が、プラント内に構築された無線通信ネットワークを介した通信によって、点検サーバ装置２０から点検簿を取得する。また、巡回点検システム１では、データ収集機器４０が、対応する計測機器４１が計測した計測値を収集する。そして、巡回点検システム１では、点検端末装置３０が、データ収集機器４０が収集した計測機器４１の計測値を取得し、点検サーバ装置２０から取得した点検簿に示された点検リストの対応する点検項目に反映させる。これにより、プラント内を巡回して巡回点検を行う作業員ＦＯは、到着したチェックポイントにおいて、点検リストに計測値が反映されていない点検作業のみを行うことができる。
【００７９】
また、巡回点検システム１では、計測機器４１が計測した計測値や点検作業の点検結果が入力（反映）された点検簿を報告書として、無線通信ネットワークを介して点検サーバ装置２０に出力（送信）する。これにより、プラント内に配置されたそれぞれの設備の運用（稼働）を管理する管理者Ｍは、作業員ＦＯが点検作業を行っている現在のチェックポイントの位置の周辺に配置されている設備の点検結果をすぐに確認することができる。そして、管理者Ｍは、必要に応じて新たな点検作業の指示を行うことができる。また、作業員ＦＯは、行った点検作業の点検結果が管理者Ｍによって承認された後に、次のチェックポイントの向かうことによって、効率よく巡回点検を行うことができる。つまり、巡回点検システム１では、作業員ＦＯが設備の場所に再度出向いて点検作業を行う（再点検を行う）ことなく、一連の巡回点検の作業を終了することができる。
【００８０】
次に、巡回点検システム１が構築されたプラントにおける巡回点検の手順について説明する。図３は、本第１の実施形態の巡回点検システム１が構築されたプラントにおいて巡回点検の点検作業を行う様子の一例を模式的に示した図である。
【００８１】
上述したように、点検データベース１０には、それぞれのチェックポイントに属する設備に対して行う作業の内容（項目）を表した点検リストがまとめられた点検簿のデータが、プラント内に設置されたそれぞれのチェックポイントに紐づけられて記憶されている。図３の（ａ）には、チェックポイントを識別するための識別情報である点検ＩＤと、それぞれのチェックポイントに対応する点検簿のデータとを、テーブルの形式で紐づけた点検簿テーブルの一例を示している。より具体的には、点検ＩＤ＝ＳＧＷ０１のチェックポイントに点検簿名＝点検簿Ａの点検簿が紐づけられ、点検ＩＤ＝ＳＧＷ０２のチェックポイントに点検簿名＝点検簿Ｂの点検簿が紐づけられ、点検ＩＤ＝ＳＧＷ０３のチェックポイントに点検簿名＝点検簿Ｃの点検簿が紐づけられている点検簿テーブルの一例を示している。
【００８２】
また、上述したように、作業員ＦＯは、巡回点検を開始する前に、例えば、管理者Ｍによって予め定められた点検ルートを点検サーバ装置２０から取得し、取得した点検ルートが提示された点検端末装置３０を携帯してプラント内に設置されたチェックポイントを巡回する。図３の（ｂ）には、プラント内に設置されたチェックポイントを移動する順番が示された点検ルートの一例を示している。より具体的には、最初（１番目）に点検ＩＤ＝ＳＧＷ０１のチェックポイントに出向き、２番目に点検ＩＤ＝ＳＧＷ０３のチェックポイントに出向き、３番目（最後）に点検ＩＤ＝ＳＧＷ０５のチェックポイントに出向くように示されている点検ルートの一例を示している。また、この点検ルートの一例では、それぞれのチェックポイントにおいて点検作業が終了したとき、つまり、管理者Ｍによって報告書の承認が得られたときにチェックマークが記載（付与）されるチェックボックスが、それぞれのチェックポイントに示されている。
【００８３】
そして、上述したように、作業員ＦＯは、チェックポイントに到着したとき、現在の位置のチェックポイントに対応する点検簿を点検サーバ装置２０から取得する。このとき、上述したように、点検端末装置３０には、それぞれのチェックポイントであるデータ収集機器４０からも、データ収集機器４０に属している計測機器４１のデータ（計測値）が取得される。図３には、作業員ＦＯが、最初（１番目）のチェックポイントである点検ＩＤ＝ＳＧＷ０１のチェックポイントに到着し、点検ＩＤ＝ＳＧＷ０１のチェックポイントに対応する点検簿である点検簿Ａを点検サーバ装置２０から取得している状態を示している。また、図３には、点検ＩＤ＝ＳＧＷ０１のチェックポイントであるデータ収集機器４０に属している計測機器４１ａおよび計測機器４１ｂの計測値が、点検端末装置３０に取得されている状態を示している。
【００８４】
ここで、巡回点検システム１が構築されたプラントにおいて巡回点検の点検作業を行う際の処理および作業について説明する。図４は、本第１の実施形態の巡回点検システム１が構築されたプラントにおいて巡回点検の点検作業を行う際の処理および作業の流れ（処理シーケンス）を示したシーケンス図である。図４には、作業員ＦＯが巡回点検の点検作業を行う際に動作する、巡回点検システム１を構成する点検端末装置３０、データ収集機器４０、および点検サーバ装置２０のそれぞれにおける処理の流れの一例を示している。なお、図４には、巡回点検において点検作業を行う作業員ＦＯの作業、つまり、点検端末装置３０に対する操作と、巡回点検の報告書（チェックポイントにおいて行った点検作業の点検結果）を確認して承認を行う管理者Ｍの作業、つまり、点検サーバ装置２０に対する操作とも併せて示している。
【００８５】
なお、以下の説明においては、点検データベース１０に、点検ルートのデータ、および点検簿のデータなどがすでに記憶されているものとする。また、以下の説明においては、点検端末装置３０は、点検サーバ装置２０との間のデータや情報のやり取りを、プラント内に構築された無線通信ネットワークによって行い、データ収集機器４０との間のデータや情報のやり取りを、ＷｉＦｉ（登録商標）などの無線通信によって行うものとする。また、以下の説明においては、クライアント−サーバ型の巡回点検システム１におけるサーバ装置として動作するサーバソフトウェア（例えば、点検ソフトウェア）が点検サーバ装置２０において実行されており、クライアント−サーバ型の巡回点検システム１におけるクライアント装置として動作するクライアントプログラム（例えば、点検プログラム）が点検端末装置３０において実行されているものとする。
【００８６】
まず、巡回点検における準備段階において、作業員ＦＯは、巡回点検を開始する前に、点検端末装置３０を操作して点検ルートの取得を指示する（ステップＳ１１０）。より具体的には、作業員ＦＯは、ステップＳ１１０において、点検端末装置３０に備えた作業承認依頼部３０６を操作し、点検ルートの取得を指示する。これにより、点検端末装置３０は、ステップＳ１１０における作業員ＦＯからの点検ルートの取得指示に応じて、点検ルートの送信の要求を、点検サーバ装置２０に送信する（ステップＳ１１１）。より具体的には、制御部３０１は、ステップＳ１１１において、指示された点検ルートを取得することを表す指示信号（制御信号）をサーバ通信部３０２に出力する。これにより、サーバ通信部３０２は、制御部３０１から出力された点検ルートを取得する指示信号に従って、点検ルートの送信要求を、無線通信ネットワークを介して、点検サーバ装置２０に備えたクライアント通信部２０２に送信する。
【００８７】
点検サーバ装置２０は、無線通信ネットワークを介して送信されてきた点検ルートの送信要求に応じて、点検データベース１０に記憶（保存）されている点検ルートのデータを読み出す（ステップＳ１１２）。そして、点検サーバ装置２０は、読み出した点検ルートのデータを点検端末装置３０に送信する（ステップＳ１１３）。より具体的には、クライアント通信部２０２は、サーバ通信部３０２から送信されてきた点検ルートの送信要求を受信すると、ステップＳ１１２において、点検ルートが要求されたことを表す情報を制御部２０１に出力する。これにより、制御部２０１は、点検データベース１０に記憶（保存）されている点検ルートのデータを読み出すことを指示する制御信号をデータインターフェース部２０３に出力する。データインターフェース部２０３は、制御部２０１から出力された点検ルートの読み出しの制御に応じて、点検データベース１０に記憶（保存）されている点検ルートのデータを検索し、要求された点検ルートに合致するデータを、点検データベース１０から読み出して制御部２０１に出力する。これにより、制御部２０１は、データインターフェース部２０３から出力された点検ルートのデータをクライアント通信部２０２に出力する。これにより、クライアント通信部２０２は、ステップＳ１１３において、制御部２０１から出力された点検ルートのデータを、無線通信ネットワークを介して、点検端末装置３０に備えたサーバ通信部３０２に送信する。
【００８８】
点検端末装置３０は、無線通信ネットワークを介して送信されてきた点検ルートを作業員ＦＯに提示する（ステップＳ１１４）。より具体的には、サーバ通信部３０２は、クライアント通信部２０２から送信されてきた点検ルートのデータを受信すると、受信した点検ルートのデータを制御部３０１に出力する。これにより、制御部３０１は、サーバ通信部３０２から出力された点検ルートのデータと、この点検ルートのデータを表示させることを指示する制御信号を表示部３０５に出力する。表示部３０５は、ステップＳ１１４において、制御部３０１から出力された点検ルートのデータに応じた表示画面を生成して表示することによって、無線通信ネットワークを介して点検サーバ装置２０から送信されてきた点検ルートを作業員ＦＯに提示する。これにより、作業員ＦＯは、点検端末装置３０に点検ルートが表示された状態で最初（１番目）のチェックポイント（図３においては、点検ＩＤ＝ＳＧＷ０１のチェックポイント）に移動する（出向く）ことができる。また、制御部３０１は、サーバ通信部３０２から出力された点検ルートのデータと、この点検ルートのデータを書き込むことを指示する制御信号を点検簿データ部３０３に出力する。点検簿データ部３０３は、制御部３０１から出力された点検ルートのデータの書き込みの制御に応じて、制御部３０１から出力された点検ルートのデータを記憶する。
【００８９】
その後、作業員ＦＯが、点検端末装置３０に表示された点検ルートに基づいてチェックポイントに移動する（ステップＳ１２０）。
【００９０】
そして、巡回点検における点検作業段階において、作業員ＦＯは、移動してきた現在のチェックポイントの通信可能範囲内の位置において、点検端末装置３０を操作して、点検簿の取得を指示する（ステップＳ１３０）。より具体的には、作業員ＦＯは、ステップＳ１３０において、点検端末装置３０に備えた作業承認依頼部３０６を操作し、点検簿の取得を指示する。これにより、点検端末装置３０は、ステップＳ１３０における作業員ＦＯからの点検簿の取得指示に応じて、点検ＩＤの送信の要求を、データ収集機器４０に送信する（ステップＳ１３１）。より具体的には、制御部３０１は、ステップＳ１３１において、点検ＩＤの送信を要求することを表す指示信号（制御信号）を機器通信部３０４に出力する。これにより、機器通信部３０４は、制御部３０１から出力された点検ＩＤの送信を要求する指示信号に従って、点検ＩＤの送信要求を、無線通信によってデータ収集機器４０に送信する。
【００９１】
なお、点検端末装置３０が、無線通信によってデータ収集機器４０とデータや情報の送受信を行うことができる通信可能範囲内に入ったことを自動で判定する構成である場合には、作業員ＦＯは、ステップＳ１３０において点検簿の取得を指示する操作を行わなくてもよい。この場合、点検端末装置３０は、作業員ＦＯが移動してきた現在のチェックポイントの通信可能範囲内の位置において、データや情報の送受信を行うことができるデータ収集機器４０との無線通信を自動で開始し、ステップＳ１３１において、点検ＩＤの送信要求をデータ収集機器４０に送信する。
【００９２】
データ収集機器４０は、無線通信によって送信されてきた点検ＩＤの送信要求に応じて、自身の点検ＩＤ（図３においては、点検ＩＤ＝ＳＧＷ０１）の情報を、無線通信によって点検端末装置３０に送信する（ステップＳ１３２）。
【００９３】
点検端末装置３０は、無線通信によって送信されてきたデータ収集機器４０の点検ＩＤを受信すると、受信した点検ＩＤに対応する点検簿の送信の要求を、点検サーバ装置２０に送信する（ステップＳ１３３）。より具体的には、機器通信部３０４は、ステップＳ１３２において無線通信によって送信されてきたデータ収集機器４０の点検ＩＤを受信すると、受信した点検ＩＤの情報を制御部３０１に出力する。これにより、制御部３０１は、ステップＳ１３３において、機器通信部３０４から出力されたデータ収集機器４０の点検ＩＤと、この点検ＩＤ、つまり、現在の位置のチェックポイントに対応する点検簿を取得することを表す指示信号（制御信号）をサーバ通信部３０２に出力する。これにより、サーバ通信部３０２は、制御部３０１から出力された点検簿を取得する指示信号に従って、点検ＩＤと点検簿の送信要求とを、無線通信ネットワークを介して、点検サーバ装置２０に備えたクライアント通信部２０２に送信する。
【００９４】
点検サーバ装置２０は、無線通信ネットワークを介して送信されてきた点検簿の送信要求に応じて、点検データベース１０に記憶（保存）されている点検簿のデータを読み出す（ステップＳ１３４）。そして、点検サーバ装置２０は、読み出した点検簿のデータを点検端末装置３０に送信する（ステップＳ１３５）。より具体的には、クライアント通信部２０２は、サーバ通信部３０２から送信されてきた点検ＩＤと点検簿の送信要求とを受信すると、ステップＳ１３４において、点検ＩＤの情報と、点検簿が要求されたことを表す情報とを制御部２０１に出力する。これにより、制御部２０１は、点検データベース１０に記憶（保存）されている点検ＩＤに対応する点検簿のデータを読み出すことを指示する制御信号をデータインターフェース部２０３に出力する。データインターフェース部２０３は、制御部２０１から出力された点検簿の読み出しの制御に応じて、点検データベース１０に記憶（保存）されている点検ＩＤに対応する点検簿のデータを検索し、要求された点検簿に合致するデータを、点検データベース１０から読み出して制御部２０１に出力する。これにより、制御部２０１は、データインターフェース部２０３から出力された点検簿のデータをクライアント通信部２０２に出力する。これにより、クライアント通信部２０２は、ステップＳ１３５において、制御部２０１から出力された点検ＩＤに対応する点検簿のデータを、無線通信ネットワークを介して、点検端末装置３０に備えたサーバ通信部３０２に送信する。そして、点検端末装置３０は、無線通信ネットワークを介して送信されてきた点検簿のデータを、点検簿データ部３０３に記憶する。より具体的には、サーバ通信部３０２は、クライアント通信部２０２から送信されてきた点検簿のデータを受信すると、受信した点検簿のデータを制御部３０１に出力する。制御部３０１は、サーバ通信部３０２から出力された点検簿のデータと、この点検簿のデータを書き込むことを指示する制御信号を点検簿データ部３０３に出力する。点検簿データ部３０３は、制御部３０１から出力された点検簿のデータの書き込みの制御に応じて、制御部３０１から出力された点検簿のデータを記憶する。
【００９５】
続いて、点検端末装置３０は、対応する計測機器４１のデータ（計測値）の送信の要求を、データ収集機器４０に送信する（ステップＳ１４０）。より具体的には、制御部３０１は、ステップＳ１４０において、計測機器４１の計測値の送信を要求することを表す指示信号（制御信号）を機器通信部３０４に出力する。これにより、機器通信部３０４は、制御部３０１から出力された計測機器４１の計測値の送信を要求する指示信号に従って、計測機器４１の計測値の送信要求を、無線通信によってデータ収集機器４０に送信する。
【００９６】
データ収集機器４０は、無線通信によって送信されてきた計測機器４１の計測値の送信要求に応じて、対応する各計測機器４１（図３においては、点検ＩＤ＝ＳＧＷ０１のチェックポイントのデータ収集機器４０に属している計測機器４１ａおよび計測機器４１ｂ）の計測値のデータを、無線通信によって点検端末装置３０に送信する（ステップＳ１４１）。
【００９７】
点検端末装置３０は、無線通信によってデータ収集機器４０から送信されてきた各計測機器４１の計測値のデータを受信すると、受信した各計測機器４１の計測値のデータを、点検簿データ部３０３に記憶している点検簿に示された点検リストの対応する点検項目に入力（反映）して、点検簿データ部３０３に記憶している点検簿を更新させる（ステップＳ１４２）。より具体的には、機器通信部３０４は、ステップＳ１４１において無線通信によって送信されてきたデータ収集機器４０が対応する各計測機器４１の計測値のデータを受信すると、受信した各計測機器４１の計測値のデータを制御部３０１に出力する。これにより、制御部３０１は、ステップＳ１４２において、それぞれの計測機器４１の計測値のデータと、この計測機器４１の計測値のデータに対応する点検簿に示された点検リスト内の点検作業の項目における点検結果のデータ領域を更新することを表す制御信号とを、点検簿データ部３０３に出力する。これにより、点検簿データ部３０３は、制御部３０１からのデータ更新の制御に応じて、計測機器４１の計測値のデータに紐づけられた、計測機器４１を識別するための識別情報である機器ＩＤに基づいて、点検簿に示された点検リストの対応する点検項目の点検結果のデータ領域に、制御部３０１から出力された計測機器４１の計測値のデータを記憶（更新）する。
【００９８】
ここで、ステップＳ１４２における点検簿の更新、つまり、データ収集機器４０から受信した各計測機器４１の計測値のデータを点検簿に示された点検リストの対応する点検項目に入力（反映）する処理の一例について説明する。図５は、本第１の実施形態の巡回点検システム１が構築されたプラントにおいて設備に設置されている計測機器４１の計測値を点検リストの対応する点検項目に入力（反映）する一例を模式的に示した図である。図５の（ａ）には、チェックポイントであるデータ収集機器４０に、計測機器４１ａ、計測機器４１ｂ、および計測機器４１ｃの３つの計測機器４１が属しており、データ収集機器４０が、各計測機器４１の計測値を収集している状態を示している。また、図５の（ｂ）には、チェックポイントに対応する点検簿である点検簿Ａの一例を示している。
【００９９】
巡回点検システム１では、上述したように、チェックポイントであるデータ収集機器４０に、対応する点検簿が紐づけられている。図５においては、図５の（ａ）に示したデータ収集機器４０に、図５の（ｂ）に示した点検簿Ａが紐づけられている。そして、点検簿には、点検リストの各点検項目に点検結果を入力するデータ領域が設けられている。図５の（ｂ）に示した点検簿Ａでは、設備＝回転機Ｍ１に対する点検項目として、常に行う４つの点検項目（「Ｐ１振動確認」、「Ｐ１温度確認」、「Ｐ２振動確認」、および「Ｐ２温度確認」）と、必要に応じて行う１つの点検項目（「油注入」）が設定され、常に行う４つの点検項目のそれぞれに対応する点検結果のデータ領域として、計測値を入力するデータ領域Ｆｖ１が設けられている。また、図５の（ｂ）に示した点検簿Ａでは、設備＝回転機Ｍ２に対する点検項目として、常に行う２つの点検項目（「Ｐ１振動確認」および「Ｐ１温度確認」）と、必要に応じて行う２つの点検項目（「ねじまし締め」および「油注入」）が設定され、常に行う２つの点検項目のそれぞれに対応する点検結果のデータ領域として、計測値を入力するデータ領域Ｆｖ２が設けられている。また、図５の（ｂ）に示した点検簿Ａでは、設備＝回転機Ｍ３に対する点検項目として、常に行う２つの点検項目（「Ｐ１振動確認」および「Ｐ１温度確認」）が設定され、常に行う２つの点検項目のそれぞれに対応する点検結果のデータ領域として、計測値を入力するデータ領域Ｆｖ３が設けられている。なお、図５の（ｂ）に示した点検簿Ａの一例において、必要に応じて行うそれぞれの点検項目は、それぞれの設備において常に行う点検項目の点検結果に応じて実施するか否かが判定される点検項目であるため、対応する点検結果の計測値が入力されていない段階では、例えば、灰色にグレーアウトされて、現在は作業を実施する項目ではないことが表されている。
【０１００】
巡回点検システム１では、それぞれの設備において常に行う点検項目のデータ領域に、対応するデータ収集機器４０に属するいずれかの計測機器４１が紐づけられている。例えば、図５に示した一例では、図５の（ｂ）に示した点検簿Ａ内の設備＝回転機Ｍ１における点検項目＝「Ｐ１振動確認」に、図５の（ａ）に示した計測機器４１ａが紐づけられている。これにより、点検端末装置３０では、ステップＳ１４２における点検簿の更新の処理において、計測機器４１ａの計測値（Ｐ１振動）のデータが、点検項目＝「Ｐ１振動確認」の点検結果として、データ領域Ｆｖ１内の対応する位置に記憶（反映）される。また、例えば、図５に示した一例では、図５の（ｂ）に示した点検簿Ａ内の設備＝回転機Ｍ１における点検項目＝「Ｐ１温度確認」に、図５の（ａ）に示した計測機器４１ｂが紐づけられている。これにより、点検端末装置３０では、ステップＳ１４２における点検簿の更新の処理において、計測機器４１ｂの計測値（Ｐ１温度）のデータが、点検項目＝「Ｐ１温度確認」の点検結果として、データ領域Ｆｖ１内の対応する位置に記憶（反映）される。また、例えば、図５に示した一例では、図５の（ｂ）に示した点検簿Ａ内の設備＝回転機Ｍ１における点検項目＝「Ｐ２振動確認」に、図５の（ａ）に示した計測機器４１ｃが紐づけられている。これにより、点検端末装置３０では、ステップＳ１４２における点検簿の更新の処理において、計測機器４１ｃの計測値（Ｐ２振動）のデータが、点検項目＝「Ｐ２振動確認」の点検結果として、データ領域Ｆｖ１内の対応する位置に記憶（反映）される。図５の（ｂ）に示した点検簿Ａの一例には、それぞれの計測機器４１の計測値が反映さている状態を示している。
【０１０１】
なお、図５の（ｂ）に示した点検簿Ａの一例では、設備＝回転機Ｍ１における点検項目＝「Ｐ２温度確認」、設備＝回転機Ｍ２における点検項目＝「Ｐ１振動確認」および「Ｐ１温度確認」、設備＝回転機Ｍ３における点検項目＝「Ｐ１振動確認」および「Ｐ１温度確認」のそれぞれには、計測機器４１が紐づけられていない。このため、計測機器４１が紐づけられていない点検項目は、作業員ＦＯが実施する必要がある点検作業の項目となる。つまり、これらの点検項目は、作業員ＦＯが、実際にそれぞれの設備のところに出向いて計測した計測値を入力する必要がある項目となる。
【０１０２】
図４に戻って、巡回点検システム１の処理シーケンスの続きを説明する。点検端末装置３０は、更新した点検簿を作業員ＦＯに提示する（ステップＳ１４３）。より具体的には、制御部３０１は、更新した点検簿のデータを読み出すことを指示する制御信号を点検簿データ部３０３に出力する。これにより、点検簿データ部３０３は、制御部３０１から出力された点検簿の読み出しの制御に応じて、記憶している点検簿のデータを、制御部３０１に出力する。そして、制御部３０１は、点検簿データ部３０３から出力された点検簿のデータと、この点検簿のデータを表示させることを指示する制御信号を表示部３０５に出力する。表示部３０５は、ステップＳ１４３において、制御部３０１から出力された点検簿のデータに応じた表示画面を生成して表示することによって、無線通信ネットワークを介して点検サーバ装置２０から送信され、無線通信によってデータ収集機器４０から送信されてきた各計測機器４１の計測値のデータが反映された点検簿（点検リスト）を作業員ＦＯに提示する。これにより、作業員ＦＯは、点検端末装置３０に表示された点検簿（点検リスト）を確認して、現在のチェックポイントの位置において実施する必要がある点検作業を確認することができる。
【０１０３】
その後、作業員ＦＯは、点検端末装置３０に表示された点検簿（点検リスト）に基づいて、実施する必要がある点検作業を実施する（ステップＳ１５０）。そして、作業員ＦＯは、実施した点検作業の点検結果を、点検簿に示された点検リストの対応する点検項目に入力する（ステップＳ１５１）。より具体的には、作業員ＦＯは、ステップＳ１５０において、点検作業を実施する必要がある設備のところに出向き、例えば、点検端末装置３０に備えた不図示の点検用の構成要素を操作したり、別途携帯してきた計測器を使用したりして、点検作業を行う。そして、作業員ＦＯは、ステップＳ１５１において、点検端末装置３０に備えた作業承認依頼部３０６を操作し、行った点検作業に対応する点検簿に示された点検リスト内の点検作業の項目の点検結果のデータ領域を選択して、点検作業の点検結果を入力する。制御部３０１は、ステップＳ１５１において作業承認依頼部３０６によって点検作業の点検結果が入力されると、ステップＳ１４２における処理と同様に、選択されている点検結果のデータ領域の情報と、入力された点検結果のデータと、点検結果のデータ領域を更新することを表す制御信号とを、点検簿データ部３０３に出力する。これにより、点検簿データ部３０３は、制御部３０１からのデータ更新の制御に応じて、点検簿に示された点検リストにおいて制御部３０１から出力された、選択されている点検作業の項目の点検結果のデータ領域に、制御部３０１から出力された点検作業の点検結果のデータを記憶（更新）する。そして、制御部３０１は、ステップＳ１４３における処理と同様に、更新した点検簿のデータを読み出すことを指示する制御信号を点検簿データ部３０３に出力し、点検簿データ部３０３から出力された点検簿のデータを表示させることを指示する制御信号を表示部３０５に出力する。これにより、点検端末装置３０は、更新した点検簿を作業員ＦＯに提示する。
【０１０４】
作業員ＦＯは、点検端末装置３０に表示された点検簿（点検リスト）に基づいて、実施する必要がある全ての点検作業の実施、つまり、ステップＳ１５０およびステップＳ１５１の処理および作業を繰り返す。これにより、点検端末装置３０に表示された点検簿（点検リスト）内の全ての点検項目に、計測機器４１の計測値のデータまたは作業員ＦＯが実施した点検作業の点検結果のデータが反映される。なお、作業員ＦＯは、ステップＳ１４３において提示された計測機器４１の計測値のデータが反映された点検簿（点検リスト）を確認した結果、現在のチェックポイントの位置において実施する必要がある点検作業がないことが確認された場合には、ステップＳ１５０およびステップＳ１５１の処理および作業を行う必要はない。
【０１０５】
その後、巡回点検における承認段階において、作業員ＦＯは、点検端末装置３０に表示された点検簿（点検リスト）の全ての点検項目に計測機器４１の計測値のデータまたは作業員ＦＯが実施した点検作業の点検結果のデータが反映されたとき、つまり、現在の位置のチェックポイントにおける点検作業を終了したとき、報告書の承認依頼を指示する（ステップＳ１６０）。より具体的には、作業員ＦＯは、ステップＳ１６０において、点検端末装置３０に備えた作業承認依頼部３０６を操作し、承認依頼の要求を指示する。これにより、点検端末装置３０は、ステップＳ１６０における作業員ＦＯからの承認依頼の要求指示に応じて、報告書と、この報告書に対する承認依頼の要求を、点検サーバ装置２０に送信する（ステップＳ１６１）。より具体的には、制御部３０１は、ステップＳ１６１において、記憶している点検簿のデータを報告書として読み出すことを指示する制御信号を点検簿データ部３０３に出力する。これにより、点検簿データ部３０３は、制御部３０１から出力された点検簿（報告書）の読み出しの制御に応じて、記憶している点検簿のデータを、制御部３０１に出力する。そして、制御部３０１は、点検簿データ部３０３から出力された点検簿（報告書）のデータと、この点検簿（報告書）のデータに対する承認依頼を要求することを表す指示信号（制御信号）とをサーバ通信部３０２に出力する。これにより、サーバ通信部３０２は、制御部３０１から出力された承認依頼を要求する指示信号に従って、点検簿（報告書）のデータと承認依頼の要求とを、無線通信ネットワークを介して、点検サーバ装置２０に備えたクライアント通信部２０２に送信する。
【０１０６】
点検サーバ装置２０は、無線通信ネットワークを介して送信されてきた承認依頼の要求に応じて、報告書と承認依頼とを管理者Ｍに提示する（ステップＳ１６２）。より具体的には、クライアント通信部２０２は、サーバ通信部３０２から送信されてきた報告書のデータと承認依頼の要求とを受信すると、報告書と、この報告書に対する承認依頼があったことを表す情報とを制御部２０１に出力する。これにより、制御部２０１は、クライアント通信部２０２から出力された報告書のデータと、この報告書のデータを書き込むことを指示する制御信号をデータインターフェース部２０３に出力する。データインターフェース部２０３は、制御部２０１から出力された報告書の書き込みの制御に応じて、制御部２０１から出力された報告書のデータを、点検データベース１０に記憶（保存）させる。また、制御部２０１は、クライアント通信部２０２から出力された報告書のデータと、この報告書のデータおよび承認依頼を表す情報を表示させることを指示する制御信号を表示部２０４に出力する。表示部２０４は、ステップＳ１６２において、制御部２０１から出力された報告書のデータおよび承認依頼の情報に応じた表示画面を生成して表示することによって、無線通信ネットワークを介して点検端末装置３０から送信されてきた報告書を管理者Ｍに提示する。
【０１０７】
その後、管理者Ｍは、点検サーバ装置２０に表示された報告書の内容、つまり、作業員ＦＯが実施した現在のチェックポイントの位置における点検作業の点検結果を確認する（ステップＳ１７０）。より具体的には、管理者Ｍは、ステップＳ１７０において、再点検を行う必要があるか否か、新たに行う必要がある点検作業があるか否か、点検作業の結果を承認するか否かを判定する。
【０１０８】
そして、管理者Ｍは、点検サーバ装置２０に表示された報告書の内容に基づいて、報告書の承認依頼に対する承認結果を入力する（ステップＳ１８０）。より具体的には、管理者Ｍは、ステップＳ１８０において、点検サーバ装置２０に備えた作業承認部２０５を操作して、報告書に対する承認結果を入力する。これにより、点検サーバ装置２０は、報告書の承認結果の情報を点検端末装置３０に送信する（ステップＳ１８１）。より具体的には、制御部２０１は、ステップＳ１８０において作業承認部２０５によって入力された報告書の承認結果の情報を、クライアント通信部２０２に出力する。これにより、クライアント通信部２０２は、ステップＳ１８１において、制御部２０１から出力された承認結果の情報を、無線通信ネットワークを介して、点検端末装置３０に備えたサーバ通信部３０２に送信する。
【０１０９】
点検端末装置３０は、無線通信ネットワークを介して送信されてきた承認結果の情報を、作業員ＦＯに提示する（ステップＳ１８２）。より具体的には、サーバ通信部３０２は、クライアント通信部２０２から送信されてきた承認結果の情報を受信すると、受信した承認結果の情報を制御部３０１に出力する。制御部３０１は、サーバ通信部３０２から出力された承認結果の情報と、この承認結果の情報を表示させることを指示する制御信号を表示部３０５に出力する。これにより、点検端末装置３０は、報告書に対する管理者Ｍの承認結果を、作業員ＦＯに提示する。これにより、作業員ＦＯは、点検端末装置３０に表示された報告書に対する承認結果を確認して、現在のチェックポイントの位置において実施した点検作業の結果が承認されたか否か、再点検が指示されたか否か、新たに行う点検作業が指示されたか否か、を確認することができる。
【０１１０】
なお、作業員ＦＯは、点検端末装置３０に表示された報告書に対する承認結果した結果、実施した点検作業の結果が承認されず、再点検や新たな点検作業が指示された場合、巡回点検における点検作業段階に戻って、指示された点検作業を実施する。つまり、作業員ＦＯは、ステップＳ１５０およびステップＳ１５１の処理および作業を行う。そして、再度、巡回点検における承認段階において、作業員ＦＯは、ステップＳ１６０における報告書の承認依頼の指示を再度行い、ステップＳ１８２において提示された承認結果を確認する。ここで、実施した点検作業の結果が再び承認されなかった場合には、再度、巡回点検における点検作業段階に戻って、作業員ＦＯは、ステップＳ１５０、ステップＳ１５１、およびステップＳ１６０の処理および作業を再度行って、巡回点検における承認段階の処理および作業を再び行う。つまり、作業員ＦＯは、巡回点検システム１におけるステップＳ１５０〜ステップＳ１８２の処理および作業を繰り返す。
【０１１１】
ここで、報告書に対する承認結果の一例について説明する。図６は、本第１の実施形態の巡回点検システム１が構築されたプラントにおいて巡回点検の点検作業を行った結果に応じた保守作業を指示する点検リストの一例を模式的に示した図である。図６に示した点検リスト（点検簿）の一例は、図５の（ｂ）に示した点検簿Ａにおいて、設備＝回転機Ｍ１において常に行う４つの点検項目の点検結果に基づいて、必要に応じて行う１つの点検項目の実施が指示される場合の一例である。
【０１１２】
管理者Ｍは、ステップＳ１７０において、点検サーバ装置２０に備えた表示部２０４に表示（ステップＳ１６２）された報告書の内容、つまり、作業員ＦＯが実施した現在のチェックポイントの位置における点検作業の点検結果が入力（反映）された点検簿Ａを確認する。図６に示した点検簿Ａにおいては、設備＝回転機Ｍ１に対して常に行う４つの点検項目のそれぞれに対応する点検結果のデータ領域Ｆｖ１内に入力（反映）されているそれぞれの計測値を確認する。ここで、管理者Ｍが、それぞれの計測値から、新たに行う必要がある点検作業（保守作業）があると判定したものとする。この場合、管理者Ｍは、ステップＳ１８０において点検サーバ装置２０に備えた作業承認部２０５を操作し、設備＝回転機Ｍ１に対して必要に応じて行う点検項目として設定されている点検項目＝「油注入」の点検作業領域Ｆｗ１を、作業員ＦＯに新たな保守作業として実施を指示する状態、例えば、灰色のグレーアウトを解除した状態に変更する。これにより、点検サーバ装置２０は、ステップＳ１８１において、管理者Ｍによって変更された点検簿Ａを、新たに保守作業の実施を指示することを表す情報が含まれた報告書の承認結果の情報として点検端末装置３０に送信し、点検端末装置３０は、ステップＳ１８２において、送信されてきた承認結果の情報を、作業員ＦＯに提示する。
【０１１３】
なお、管理者Ｍが再点検や新たな点検作業を指示する方法は、上述したように、対応する点検項目のグレーアウトを解除する方法の他に、再点検や新たな点検作業の内容を表す情報（例えば、文書など）やデータ（例えば、新たな点検簿など）で指示する方法であってもよい。
【０１１４】
作業員ＦＯは、点検端末装置３０において報告書に対する承認結果として示された点検簿Ａの点検作業領域Ｆｗ１の状態から、設備＝回転機Ｍ１に対する点検項目＝「油注入」が指示されたことを確認し、ステップＳ１５０において、回転機Ｍ１に油を注入する保守作業を実施する。そして、作業員ＦＯは、ステップＳ１５１において、実施した点検作業（保守作業）の点検結果を入力する。例えば、図６に示した点検簿Ａにおいては、点検作業領域Ｆｗ１内のデータ領域に示されたチェックボックスにチェックマークを入力する。そして、作業員ＦＯは、ステップＳ１６０において、実施した点検作業（保守作業）の点検結果を入力した報告書の承認依頼を再度行う。
【０１１５】
なお、作業員ＦＯが、ステップＳ１５１において実施した点検作業（保守作業）の点検結果を入力する方法は、上述したようなチェックボックスにチェックマークを入力する方法に限定されるものではない。例えば、点検端末装置３０に、撮影を行うカメラの機能（以下、「カメラ機能」という）を備えていることも考えられる。この場合、カメラ機能によって、点検作業（保守作業）を行う設備における作業対象箇所の前後の状態を、基準となる被写体と併せて撮影し、この画像を、点検作業（保守作業）を実施した結果として報告書に紐づけてもよい。この場合、点検サーバ装置２０では、報告書に紐づけられている点検作業（保守作業）の前後の画像に写されている作業対象箇所の差分を画像認識することによって、点検作業（保守作業）を実施した結果を判定する構成にしてもよい。
【０１１６】
例えば、点検作業（保守作業）の点検項目が「油注入」である場合、油を注入する前後の画像に対する画像認識によって、油を注入する箇所において油がしみ出している状態を認識し、油を注入した状態を判定してもよい。また、例えば、点検作業（保守作業）の点検項目が「ねじまし締め」である場合、ねじを締める前後の画像に対する画像認識によって、ねじ頭の工具穴の角度を認識し、まし締めするねじの回転状態（ねじを締めた状態）を判定してもよい。また、例えば、点検作業（保守作業）の点検項目が「腐食確認」である場合、対象箇所の現在の画像と、以前の点検作業（保守作業）において撮影された同じ対象箇所の画像とに対する画像認識によって、腐食箇所における腐食の広がりを認識し、腐食が進んでいる状態を判定してもよい。
【０１１７】
このように、点検簿（報告書）には、計測機器４１が計測した計測値以外の情報も紐づけることができる。つまり、点検簿（報告書）には、計測機器４１や作業員ＦＯが計測した計測値のように、設備が稼働している状態を値（数値）として表すことができる情報以外も紐づけることができ、点検作業の結果の判定に使用することができる。なお、点検作業（保守作業）の前後の画像に対する画像認識によって、点検作業（保守作業）の結果を数値化することができる場合には、数値化した値に基づいて点検作業（保守作業）の結果を判定してもよい。
【０１１８】
図４に戻って、巡回点検システム１の処理シーケンスの続きを説明する。作業員ＦＯは、ステップＳ１８２において点検端末装置３０に表示された報告書に対する承認結果、実施した点検作業の結果が承認された場合には、現在のチェックポイントの位置における点検作業を終了する（ステップＳ１９０）。そして、作業員ＦＯは、点検端末装置３０に表示された点検ルートに基づいて次のチェックポイント（図３においては、点検ＩＤ＝ＳＧＷ０３のチェックポイント）に移動して（出向いて）、移動してきた現在のチェックポイントの通信可能範囲内の位置において同様に点検作業を行う。つまり、作業員ＦＯは、図４に示した巡回点検システム１におけるステップＳ１２０〜ステップＳ１９０の処理および作業（巡回点検における点検作業段階および承認段階の処理および作業）を、点検端末装置３０に表示された点検ルートに示された全てのチェックポイントにおける点検作業が完了するまで繰り返す。
【０１１９】
このような処理および作業の流れ（処理シーケンス）によって、巡回点検システム１では、作業員ＦＯが点検端末装置３０を携帯してプラント内に設置されたそれぞれのチェックポイントを順次移動し、管理者Ｍによる点検結果の承認を得ながら、一連の巡回点検の作業を行う。
【０１２０】
ここで、作業員ＦＯが巡回点検においてプラント内に設置されたチェックポイントを巡回する経路について説明する。図７は、本第１の実施形態の巡回点検システム１が構築されたプラントにおいて巡回点検の点検作業を行う際に移動する経路（作業員ＦＯの移動経路）の一例を模式的に示した図である。図７の（ａ）には、巡回点検を開始する前に作業員ＦＯが点検端末装置３０によって取得した点検ルートの一例を示している。また、図７の（ｂ）には、巡回点検システム１が構築されたプラントの地図と、プラント内に設置されているデータ収集機器４０、つまり、チェックポイントの位置とを模式的に示している。なお、図７の（ｂ）には、それぞれのデータ収集機器４０が無線通信によって点検端末装置３０との間でデータや情報の送受信を行うことができる通信可能範囲も模式的に示している。
【０１２１】
上述したように、作業員ＦＯは、点検端末装置３０に表示された点検ルートに基づいてチェックポイントの通信可能範囲内に移動し、それぞれのチェックポイントの通信可能範囲内の位置において、点検作業を実施する。例えば、図７に示した一例において作業員ＦＯは、図７の（ａ）に示した点検ルートに基づいて、ＳＧＷ０１、ＳＧＷ０３、ＳＧＷ０５、ＳＧＷ０６、ＳＧＷ０７、ＳＧＷ０９の順番に、それぞれのチェックポイントの通信可能範囲内の位置に移動する。図７の（ｂ）には、このときの作業員ＦＯの移動経路の一例として、移動経路Ｒ１を示している。
【０１２２】
作業員ＦＯは、それぞれのチェックポイントとして設置されたデータ収集機器４０の通信可能範囲内に移動することによって、このデータ収集機器４０に属する計測機器４１の計測値を取得することができる。例えば、作業員ＦＯが、点検ＩＤ＝ＳＧＷ０１のチェックポイントとして設置されたデータ収集機器４０ａの通信可能範囲内に移動する（入る）ことによって、データ収集機器４０ａに属する計測機器４１の計測値を取得することができる。また、例えば、作業員ＦＯが、点検ＩＤ＝ＳＧＷ０３のチェックポイントとして設置されたデータ収集機器４０ｃの通信可能範囲内に移動する（入る）ことによって、データ収集機器４０ｃに属する計測機器４１の計測値を取得することができる。同様に、作業員ＦＯが、点検ＩＤ＝ＳＧＷ０５、ＳＧＷ０６、ＳＧＷ０７、ＳＧＷ０９のチェックポイントとして設置されたデータ収集機器４０ｄ〜データ収集機器４０ｉの通信可能範囲内に移動する（入る）ことによって、それぞれのデータ収集機器４０に属する計測機器４１の計測値を取得することができる。つまり、作業員ＦＯは、それぞれのデータ収集機器４０の通信可能範囲内に移動するのみで、点検簿に示された点検リストの全ての点検項目に対応する計測値が入力（反映）され、データ収集機器４０に属する設備に対する点検作業を終了することができる。
【０１２３】
そして、作業員ＦＯは、上述したように、それぞれのチェックポイントごとに報告書の承認を得る。これにより、巡回点検システム１が構築されたプラントでは、作業員ＦＯが、例えば、図７の（ｂ）に示した移動経路Ｒ１のように移動することによって、点検ルートに示されたチェックポイントに属するそれぞれの設備に対する一連の巡回点検の作業が終了することになる。
【０１２４】
なお、図７に示した移動経路Ｒ１では、点検ＩＤ＝ＳＧＷ０８のチェックポイントとして設置されたデータ収集機器４０ｈの通信可能範囲内にも移動している（入っている）が、点検ＩＤ＝ＳＧＷ０８のチェックポイントは、図７の（ａ）に示した点検ルートにチェックポイントとして含まれていない。このため、作業員ＦＯは、データ収集機器４０ｈに属する計測機器４１の計測値を取得せず、報告書の承認も得ずに、次の点検ＩＤ＝ＳＧＷ０９のチェックポイントとして設置されたデータ収集機器４０ｉの通信可能範囲内に移動する。
【０１２５】
なお、上述したように、それぞれのチェックポイントにおいて、データ収集機器４０に属する計測機器４１の計測値が取得されない設備に対しては、実際に設備のところに出向いて点検作業を行って、計測した計測値を入力することが必要である。つまり、計測機器４１が予め設置されていない設備に対しては、作業員ＦＯが図７の（ｂ）に示したような移動経路Ｒ１を外れて点検対象の設備に出向き、作業員ＦＯによる点検作業が必要である。このため、プラントによっては、必ずしも、作業員ＦＯがデータ収集機器４０の通信可能範囲内に移動するのみで全ての設備に対する点検作業を完了することができるとは限らない。しかし、プラントにおいて、設備の予め定められた位置に設置される計測機器４１が増設され、点検簿に示された点検リストの全ての点検項目に対応する計測値が反映される状態となれば、再点検や保守作業などの作業の指示が出されたときを除いて、作業員ＦＯが設備のところに実際に出向く必要がなくなるため、データ収集機器４０の通信可能範囲内に移動するのみで全ての設備に対する点検作業を完了することができる。
【０１２６】
次に、巡回点検システム１が構築されたプラントにおいて、計測機器４１が増設された場合に、点検簿に示された点検リストの点検項目に、増設された計測機器４１を紐づける場合の処理および作業について説明する。図８は、本第１の実施形態の巡回点検システム１が構築されたプラントにおいて計測機器４１を点検リストに紐づける一例を模式的に示した図である。図８の（ａ）には、チェックポイントとして設置されたデータ収集機器４０の周辺の予め定めた範囲（エリア）に配置されている設備の予め定められた位置に、計測機器４１ｄが増設された状態を示している。また、図８の（ｂ）には、増設された計測機器４１ｄを紐づける点検簿Ａの点検項目を示している。
【０１２７】
図８に示した計測機器４１を点検リストに紐づける一例は、図５の（ｂ）に示した点検簿Ａにおいて、計測機器４１が紐づけられていない設備＝回転機Ｍ１の点検項目＝「Ｐ２温度確認」に、新たに設置された計測機器４１ｄを紐づける場合の一例である。計測機器４１を点検リストに紐づける作業を行う作業員（以下の説明においては、この作業員も「作業員ＦＯ」であるものとする）は、点検端末装置３０に表示された点検簿（点検リスト）内のデータ領域Ｆｖ１−４を指定（選択）することによって、データ収集機器４０に属する増設された計測機器４１ｄを、点検項目＝「Ｐ２温度確認」に紐づけることができる。これにより、以降にデータ収集機器４０が設置されたチェックポイントにおいて点検作業を行う作業員ＦＯが携帯してきた点検端末装置３０は、図４に示したステップＳ１４２における点検簿の更新の処理において、計測機器４１ｄの計測値（Ｐ２温度）のデータを、点検項目＝「Ｐ２温度確認」の点検結果として、データ領域Ｆｖ１−４の位置に記憶（反映）させる。これにより、設備＝回転機Ｍ１における点検項目＝「Ｐ２温度確認」も、作業員ＦＯが実際の設備のところに出向いて計測する必要がない項目となる。
【０１２８】
なお、計測機器４１を点検リストに紐づける作業としては、データ収集機器４０の通信可能範囲内の位置において行う場合と、実際に計測機器４１が設置されている位置において行う場合とが考えられる。例えば、すでに計測機器４１が増設されており、作業員ＦＯが増設された計測機器４１の情報をもっている（知っている）場合には、データ収集機器４０の通信可能範囲内の位置において、計測機器４１を点検リストに紐づける作業を行うことができる。また、例えば、計測機器４１の設備への設置（増設）の作業をしているときに、実際に計測機器４１を設置（増設）する位置において、計測機器４１を点検リストに紐づける作業も同時に行うことができる。
【０１２９】
＜第１の紐づけ作業＞
ここで、巡回点検システム１が構築されたプラントにおいて、増設された計測機器４１を点検リストに紐づける紐づけ作業を行う際の処理および作業について説明する。図９は、本第１の実施形態の巡回点検システム１が構築されたプラントにおいて計測機器４１を点検リストに紐づける第１の紐づけ作業を行う際の処理および作業の流れを示したシーケンス図である。第１の紐づけ作業は、すでに計測機器４１が増設されており、作業員ＦＯが増設された計測機器４１の情報（プラント内に設置された計測機器４１に排他的に設定された名称や型番などの情報）をもっている（知っている）場合に、データ収集機器４０の通信可能範囲内の位置において、増設された計測機器４１を点検リストに紐づける作業である。
【０１３０】
図９には、作業員ＦＯが計測機器４１を点検リストに紐づける第１の紐づけ作業を行う際に動作する、巡回点検システム１を構成する点検端末装置３０、データ収集機器４０、および点検サーバ装置２０のそれぞれにおける処理の流れの一例を示している。なお、図９には、第１の紐づけ作業を行う作業員ＦＯの作業、つまり、点検端末装置３０に対する操作と、計測機器４１が紐づけられた点検リスト（第１の紐づけ作業によって更新された点検簿）を確認して承認を行う管理者Ｍの作業、つまり、点検サーバ装置２０に対する操作と、も併せて示している。なお、以下の説明においては、点検端末装置３０に、第１の紐づけ作業を行う前の点検簿のデータなどがすでに記憶されているものとする。また、以下の説明においては、点検端末装置３０は、点検サーバ装置２０との間のデータや情報のやり取りを、プラント内に構築された無線通信ネットワークによって行い、データ収集機器４０との間のデータや情報のやり取りを、ＷｉＦｉ（登録商標）などの無線通信によって行うものとする。
【０１３１】
まず、作業員ＦＯは、増設された計測機器４１を紐づける対象の点検簿が記憶されている点検端末装置３０を携帯して、増設された計測機器４１が属するデータ収集機器４０が設置されたチェックポイントの通信可能範囲内に移動する。そして、作業員ＦＯは、移動してきた現在のチェックポイントの通信可能範囲内の位置において、点検端末装置３０を操作して、点検簿の提示を指示する。これにより、点検端末装置３０は、記憶している点検簿（第１の紐づけ作業を行う前の点検簿）を作業員ＦＯに提示する（ステップＳ２１０）。より具体的には、作業員ＦＯは、点検端末装置３０に備えた作業承認依頼部３０６を操作して、点検簿の提示を指示する。これにより、制御部３０１は、記憶している点検簿のデータを読み出すことを指示する制御信号を点検簿データ部３０３に出力する。点検簿データ部３０３は、制御部３０１から出力された点検簿の読み出しの制御に応じて、記憶している点検簿のデータを、制御部３０１に出力する。そして、制御部３０１は、点検簿データ部３０３から出力された点検簿のデータと、この点検簿のデータを表示させることを指示する制御信号を表示部３０５に出力する。表示部３０５は、ステップＳ２１０において、制御部３０１から出力された点検簿のデータに応じた表示画面を生成して表示することによって、点検簿（点検リスト）を作業員ＦＯに提示する。
【０１３２】
なお、点検端末装置３０が、無線通信によってデータ収集機器４０とデータや情報の送受信を行うことができる通信可能範囲内に入ったことを自動で判定する構成である場合には、作業員ＦＯは、点検簿の提示を指示する操作を行わなくてもよい。この場合、点検端末装置３０は、作業員ＦＯが移動してきた現在のチェックポイントの通信可能範囲内の位置において、データや情報の送受信を行うことができるデータ収集機器４０との無線通信を自動で開始し、ステップＳ２１０において、点検簿（点検リスト）を作業員ＦＯに提示する。
【０１３３】
その後、作業員ＦＯは、点検端末装置３０に表示された点検簿（点検リスト）に、増設された計測機器４１を紐づける第１の紐づけ作業を開始する。第１の紐づけ作業を開始すると、作業員ＦＯは、点検端末装置３０に表示された点検簿（点検リスト）内の、計測機器４１を紐づける対象の点検項目を選択する（ステップＳ２２０）。より具体的には、作業員ＦＯは、ステップＳ２２０において、点検端末装置３０に備えた作業承認依頼部３０６を操作し、点検簿に示された点検リスト内の計測機器４１を紐づける対象の点検項目の領域を選択（指定）する。例えば、図８の（ｂ）に示した点検簿Ａ内の点検項目＝「Ｐ２温度確認」の領域や、データ領域Ｆｖ１−４の領域を選択（指定）する。これにより、点検端末装置３０は、ステップＳ２２０における作業員ＦＯからの点検項目の選択に応じて、属している計測機器４１のリスト（以下、「計測機器リスト」という）の送信の要求を、データ収集機器４０に送信する（ステップＳ２２１）。より具体的には、制御部３０１は、ステップＳ２２１において、計測機器リストの送信を要求することを表す指示信号（制御信号）を機器通信部３０４に出力する。これにより、機器通信部３０４は、制御部３０１から出力された計測機器リストの送信を要求する指示信号に従って、計測機器リストの送信要求を、無線通信によってデータ収集機器４０に送信する。
【０１３４】
データ収集機器４０は、無線通信によって送信されてきた計測機器リストの送信要求に応じて、自身に属している計測機器４１のリストの情報（計測機器リスト）を、無線通信によって点検端末装置３０に送信する（ステップＳ２２２）。ここで、データ収集機器４０が無線通信によって点検端末装置３０に送信する計測機器リストには、プラント内に設置された計測機器４１に排他的に設定された名称や型番などの情報が示されている。また、計測機器リストには、計測機器４１を識別するための識別情報である機器ＩＤも含まれており、計測機器４１に排他的に設定された名称や型番などの情報と紐づけられている。
【０１３５】
点検端末装置３０は、無線通信によって送信されてきたデータ収集機器４０の計測機器リストを受信すると、受信した計測機器リストを作業員ＦＯに提示する（ステップＳ２２３）。より具体的には、機器通信部３０４は、ステップＳ２２３において無線通信によって送信されてきたデータ収集機器４０に属する計測機器４１の計測機器リストを受信すると、受信した計測機器リストのデータを制御部３０１に出力する。これにより、制御部３０１は、機器通信部３０４から出力された計測機器リストのデータと、この計測機器リストのデータを表示させることを指示する制御信号を表示部３０５に出力する。表示部３０５は、ステップＳ２２３において、制御部３０１から出力された計測機器リストのデータに応じた表示画面を生成して表示することによって、無線通信によってデータ収集機器４０から送信されてきた計測機器リストを作業員ＦＯに提示する。なお、点検端末装置３０が作業員ＦＯに提示する計測機器リストは、プラント内に設置された計測機器４１に排他的に設定された名称や型番などの情報のみであってもよい。つまり、点検端末装置３０は、データ収集機器４０から送信されてきた計測機器リストにおいて紐づけられている機器ＩＤを、作業員ＦＯに提示しなくてもよい。
【０１３６】
その後、作業員ＦＯは、点検端末装置３０に表示された計測機器リストを確認する（ステップＳ２３０）。より具体的には、作業員ＦＯは、ステップＳ２３０において、ステップＳ２２０で選択した点検項目に紐づける計測機器４１が含まれているか否か、つまり、点検簿（点検リスト）に紐づける増設された計測機器４１がリストアップされているか否かを確認する。そして、作業員ＦＯは、点検項目に紐づける計測機器４１が含まれている場合には、計測機器リストにリストアップされている増設された計測機器４１を選択する（ステップＳ２４０）。より具体的には、作業員ＦＯは、ステップＳ２４０において、点検端末装置３０に備えた作業承認依頼部３０６を操作し、計測機器リストに示された増設された計測機器４１の領域を選択する。例えば、計測機器リストにおいて、図８の（ａ）に示した計測機器４１ｄが示された領域を選択する。
【０１３７】
点検端末装置３０は、作業員ＦＯによって選択された計測機器４１を、点検簿データ部３０３に記憶している点検簿に示された点検リストの対応する点検項目に紐づけて、点検簿データ部３０３に記憶している点検簿を更新させる（ステップＳ２４１）。より具体的には、制御部３０１は、ステップＳ２４０において選択された計測機器４１に紐づけられている機器ＩＤの情報と、ステップＳ２２０において選択された点検項目の情報と、点検簿に示された点検リスト内の点検項目に機器ＩＤを紐づけて更新することを表す制御信号とを、点検簿データ部３０３に出力する。これにより、点検簿データ部３０３は、制御部３０１からの機器ＩＤ更新の制御に応じて、点検簿に示された点検リストにおいて制御部３０１から指定された点検項目の機器ＩＤ紐づけ領域に、制御部３０１から出力された機器ＩＤの情報を記憶（更新）する。これにより、例えば、図８の（ａ）に示した計測機器４１ｄが、図８の（ｂ）に示した点検簿Ａ内の点検項目＝「Ｐ２温度確認」の機器ＩＤ紐づけ領域に記憶されて、点検簿Ａが更新される。そして、以降にデータ収集機器４０が設置されたチェックポイントにおいて点検作業を行った場合、作業員ＦＯが携帯してきた点検端末装置３０では、図４に示したステップＳ１４２における点検簿Ａの更新の処理において、計測機器４１ｄの計測値（Ｐ２温度）のデータを、点検項目＝「Ｐ２温度確認」の点検結果として、データ領域Ｆｖ１−４の位置に記憶（反映）されるようになる。
【０１３８】
点検端末装置３０は、更新した点検簿を作業員ＦＯに提示する（ステップＳ２４２）。より具体的には、制御部３０１は、更新した点検簿のデータを読み出すことを指示する制御信号を点検簿データ部３０３に出力する。これにより、点検簿データ部３０３は、制御部３０１から出力された点検簿の読み出しの制御に応じて、記憶している点検簿のデータを、制御部３０１に出力する。そして、制御部３０１は、点検簿データ部３０３から出力された点検簿のデータと、この点検簿のデータを表示させることを指示する制御信号を表示部３０５に出力する。表示部３０５は、ステップＳ２４２において、制御部３０１から出力された点検簿のデータに応じた表示画面を生成して表示することによって、更新した点検簿（点検リスト）を作業員ＦＯに提示する。
【０１３９】
その後、作業員ＦＯは、点検端末装置３０に表示された更新した点検簿（点検リスト）に基づいて、点検簿に紐づけた計測機器４１による点検作業を実施する（ステップＳ２５０）。そして、作業員ＦＯは、実施した点検作業の点検結果を、更新した点検簿に示された点検リストの対応する点検項目に入力する（ステップＳ２５１）。なお、作業員ＦＯにおける紐づけた計測機器４１による点検作業と、点検結果の入力との処理は、図４に示したステップＳ１５０およびステップＳ１５１と同様である。なお、ステップＳ２５０およびステップＳ２５１における作業員ＦＯによる点検作業と、点検結果の入力との処理は、図４に示したステップＳ１４０〜ステップＳ１４３と同様に、点検端末装置３０が、紐づけた計測機器４１のデータ（計測値）の送信を要求して、計測機器４１の計測値を更新した点検簿に反映させる処理であってもよい。
【０１４０】
その後、作業員ＦＯは、現在のチェックポイントの位置のデータ収集機器４０に増設された計測機器４１に対応する点検簿（点検リスト）内の点検項目の更新が全て終了したとき、更新した点検簿（点検リスト）の承認依頼を指示する（ステップＳ２６０）。より具体的には、作業員ＦＯは、ステップＳ２６０において、点検端末装置３０に備えた作業承認依頼部３０６を操作し、承認依頼の要求を指示する。これにより、点検端末装置３０は、ステップＳ２６０における作業員ＦＯからの承認依頼の要求指示に応じて、更新した点検簿と、紐づけたそれぞれの計測機器４１による点検作業の点検結果と、この更新した点検簿に対する承認依頼の要求を、点検サーバ装置２０に送信する（ステップＳ２６１）。より具体的には、制御部３０１は、ステップＳ２６１において、記憶している点検簿のデータを更新した点検簿として読み出すことを指示する制御信号を点検簿データ部３０３に出力する。これにより、点検簿データ部３０３は、制御部３０１から出力された更新した点検簿の読み出しの制御に応じて、記憶している点検簿のデータを、制御部３０１に出力する。この点検簿のデータには、紐づけた計測機器４１による点検作業の点検結果が含まれている。そして、制御部３０１は、点検簿データ部３０３から出力された更新した点検簿のデータと、この更新した点検簿のデータに対する承認依頼を要求することを表す指示信号（制御信号）とをサーバ通信部３０２に出力する。これにより、サーバ通信部３０２は、制御部３０１から出力された承認依頼を要求する指示信号に従って、更新した点検簿のデータと承認依頼の要求とを、無線通信ネットワークを介して、点検サーバ装置２０に備えたクライアント通信部２０２に送信する。
【０１４１】
点検サーバ装置２０は、無線通信ネットワークを介して送信されてきた承認依頼の要求に応じて、更新した点検簿と承認依頼とを管理者Ｍに提示する（ステップＳ２６２）。より具体的には、クライアント通信部２０２は、サーバ通信部３０２から送信されてきた更新した点検簿のデータと承認依頼の要求とを受信すると、更新した点検簿と、この更新した点検簿に対する承認依頼があったことを表す情報とを制御部２０１に出力する。これにより、制御部２０１は、クライアント通信部２０２から出力された更新した点検簿のデータと、この更新した点検簿のデータおよび承認依頼を表す情報を表示させることを指示する制御信号を表示部２０４に出力する。表示部２０４は、ステップＳ２６２において、制御部３０１から出力された更新した点検簿のデータおよび承認依頼の情報に応じた表示画面を生成して表示することによって、無線通信ネットワークを介して点検端末装置３０から送信されてきた更新した点検簿を管理者Ｍに提示する。
【０１４２】
その後、管理者Ｍは、点検サーバ装置２０に表示された更新した点検簿と、この更新した点検簿に反映されている、紐づけた計測機器４１による点検作業の点検結果とを確認する（ステップＳ２７０）。より具体的には、管理者Ｍは、ステップＳ２７０において、更新した点検簿に反映されている点検結果が、正しく紐づけられた計測機器４１によって点検作業が行われた点検結果であるか否かを判定する。
【０１４３】
そして、管理者Ｍは、点検サーバ装置２０に表示された更新した点検簿と点検結果とに基づいて、更新した点検簿の承認依頼に対する承認結果を入力する（ステップＳ２８０）。より具体的には、管理者Ｍは、ステップＳ２８０において、点検サーバ装置２０に備えた作業承認部２０５を操作して、更新した点検簿に対する承認結果を入力する。
【０１４４】
点検サーバ装置２０は、管理者Ｍが、ステップＳ２８０において、更新した点検簿を承認することを表す承認結果を入力した場合、点検データベース１０に記憶（保存）している点検簿のデータを登録（更新）する（ステップＳ２９０）。より具体的には、制御部２０１は、クライアント通信部２０２から出力され、表示部２０４によって管理者Ｍに提示されている更新した点検簿のデータと、この更新した点検簿のデータを書き込むことを指示する制御信号をデータインターフェース部２０３に出力する。データインターフェース部２０３は、ステップＳ２９０において、制御部２０１から出力された更新した点検簿の書き込みの制御に応じて、制御部２０１から出力された更新した点検簿のデータを、点検データベース１０に記憶（保存）させる。
【０１４５】
なお、巡回点検システム１では、図４に示したステップＳ１８１およびステップＳ１８２と同様に、管理者Ｍによる更新した点検簿に対する承認結果を、作業員ＦＯに提示する。これにより、作業員ＦＯは、点検端末装置３０に表示された更新した点検簿に対する承認結果を確認して、増設された計測機器４１を点検リストに紐づける第１の紐づけ作業が完了したか否か、を確認することができる。ここで、作業員ＦＯは、点検端末装置３０に表示された更新した点検簿に対する承認結果が承認されないことを表している場合には、第１の紐づけ作業を再度行ってもよい。つまり、図９に示した第１の紐づけ作業（より具体的には、ステップＳ２２０〜ステップＳ２６０までの作業、および更新した点検簿に対する承認結果の確認）を繰り返してもよい。
【０１４６】
このような処理および作業の流れ（処理シーケンス）によって、巡回点検システム１における第１の紐づけ作業では、作業員ＦＯが点検端末装置３０を携帯して、増設された計測機器４１が属するデータ収集機器４０が設置されたチェックポイントに出向いて点検簿を更新し、管理者Ｍによって更新した点検簿の承認を得て、最終的に点検簿を更新する。なお、巡回点検システム１における第１の紐づけ作業は、作業員ＦＯが巡回点検のためにそれぞれのチェックポイントを巡回しているときにも行うことができる。
【０１４７】
＜第２の紐づけ作業＞
次に、巡回点検システム１が構築されたプラントにおいて、増設された計測機器４１を点検リストに紐づける紐づけ作業を行う際の別の処理および作業について説明する。図１０は、本第１の実施形態の巡回点検システム１が構築されたプラントにおいて計測機器４１を点検リストに紐づける第２の紐づけ作業を行う際の処理および作業の流れを示したシーケンス図である。第２の紐づけ作業は、計測機器４１の設備への設置（増設）の作業をしているときに、実際に計測機器４１を設置（増設）する位置において、計測機器４１を点検リストに紐づける作業も同時に行う場合の作業である。
【０１４８】
図１０には、図９に示した第１の紐づけ作業のシーケンス図と同様に、作業員ＦＯが計測機器４１を点検リストに紐づける第２の紐づけ作業を行う際に動作する、巡回点検システム１を構成する点検端末装置３０、データ収集機器４０、および点検サーバ装置２０のそれぞれにおける処理の流れの一例を示している。なお、図１０には、図９に示した第１の紐づけ作業のシーケンス図と同様に、第２の紐づけ作業を行う作業員ＦＯの作業、つまり、点検端末装置３０に対する操作と、計測機器４１が紐づけられた点検リスト（第２の紐づけ作業によって更新された点検簿）を確認して承認を行う管理者Ｍの作業、つまり、点検サーバ装置２０に対する操作と、も併せて示している。なお、以下の説明においては、図９に示した第１の紐づけ作業と同様に、点検端末装置３０に、第２の紐づけ作業を行う前の点検簿のデータなどがすでに記憶されているものとする。また、以下の説明においては、図９に示した第１の紐づけ作業と同様に、点検端末装置３０は、点検サーバ装置２０との間のデータや情報のやり取りを、プラント内に構築された無線通信ネットワークによって行うものとする。
【０１４９】
まず、作業員ＦＯは、増設する計測機器４１を紐づける対象の点検簿が記憶されている点検端末装置３０を携帯して、計測機器４１を設置（増設）する設備の位置に移動する。そして、作業員ＦＯは、計測機器４１を設置（増設）する。その後、作業員ＦＯは、現在の位置、つまり、計測機器４１を設置（増設）した位置において、点検端末装置３０を操作して、点検簿の提示を指示する。これにより、点検端末装置３０は、記憶している点検簿（第２の紐づけ作業を行う前の点検簿）を作業員ＦＯに提示する（ステップＳ３１０）。なお、点検端末装置３０が、ステップＳ３１０において、作業員ＦＯの指示に応じて記憶している点検簿（第２の紐づけ作業を行う前の点検簿）を作業員ＦＯに提示する処理は、図９に示した第１の紐づけ作業におけるステップＳ２１０の処理と同様である。従って、点検端末装置３０が、ＷｉＦｉ（登録商標）などの無線通信によってデータ収集機器４０との間でデータや情報の送受信を行うことができる通信可能範囲内に入ったことを自動で判定する構成である場合には、作業員ＦＯが計測機器４１を設置（増設）する位置に到着したときには、すでに自動で無線通信が開始されており、点検簿の提示を指示する操作を行わなくても、第２の紐づけ作業を行う前の点検簿（点検リスト）がすでに提示されている。
【０１５０】
その後、作業員ＦＯは、点検端末装置３０に表示された点検簿（点検リスト）に、現在の位置に設置（増設）した計測機器４１を紐づける第２の紐づけ作業を開始する。第２の紐づけ作業を開始すると、作業員ＦＯは、点検端末装置３０に表示された点検簿（点検リスト）内の、増設した計測機器４１を紐づける対象の点検項目を選択（指定）する（ステップＳ３２０）。なお、作業員ＦＯが、ステップＳ３２０において、増設した計測機器４１を紐づける対象の点検項目を選択（指定）する際に行う点検端末装置３０の操作は、図９に示した第１の紐づけ作業におけるステップＳ３２０の操作と同様である。
【０１５１】
そして、作業員ＦＯは、点検端末装置３０を操作して増設した計測機器４１の情報の取得を指示する（ステップＳ３３０）。これにより、点検端末装置３０は、ステップＳ３３０における作業員ＦＯからの計測機器４１の情報の取得指示に応じて、計測機器４１から情報を取得する（ステップＳ３３１）。より具体的には、作業員ＦＯは、ステップＳ３３０において、点検端末装置３０に備えた作業承認依頼部３０６を操作し、計測機器４１の機器ＩＤなどの情報の取得を指示する。ここで、計測機器４１の機器ＩＤは、例えば、計測機器４１に備えたＮＦＣタグなどの近距離無線通信タグから取得することができる。この場合、作業員ＦＯは、ステップＳ３３０において、点検端末装置３０に備えたＮＦＣの近距離無線通信機能の実行を指示する。これにより、点検端末装置３０は、ステップＳ３３１において、ＮＦＣの近距離無線通信機能によって、計測機器４１に備えたＮＦＣタグに登録された機器ＩＤを取得する。また、計測機器４１の機器ＩＤは、例えば、計測機器４１に貼付されたＱＲ（Ｑｕｉｃｋ  Ｒｅｓｐｏｎｓｅ）コード（登録商標）などの２次元コードに登録された情報から取得することができる。この場合、作業員ＦＯは、ステップＳ３３０において、点検端末装置３０に備えたＱＲコード（登録商標）の読み取り機能の実行を指示する。これにより、点検端末装置３０は、ステップＳ３３１において、ＱＲコード（登録商標）の読み取り機能によって、計測機器４１の機器ＩＤを取得する。なお、点検端末装置３０と計測機器４１とを、例えば、ＵＳＢ（登録商標）などの有線インタフェースによって接続することによって、点検端末装置３０が計測機器４１の機器ＩＤを取得してもよい。
【０１５２】
点検端末装置３０は、機器ＩＤを取得した計測機器４１を、点検簿データ部３０３に記憶している点検簿に示された点検リストの対応する点検項目に紐づけて、点検簿データ部３０３に記憶している点検簿を更新させる（ステップＳ３４０）。より具体的には、制御部３０１は、ステップＳ３３１において増設した計測機器４１から取得した機器ＩＤの情報と、ステップＳ３２０において選択された点検項目の情報と、点検簿に示された点検リスト内の点検項目に機器ＩＤを紐づけて更新することを表す制御信号とを、点検簿データ部３０３に出力する。これにより、点検簿データ部３０３は、制御部３０１からの機器ＩＤ更新の制御に応じて、点検簿に示された点検リストにおいて制御部３０１から指定された点検項目の機器ＩＤ紐づけ領域に、制御部３０１から出力された機器ＩＤの情報を記憶（更新）する。これにより、図９に示した第１の紐づけ作業におけるステップＳ２４１の処理と同様に、例えば、図８の（ａ）に示した計測機器４１ｄが、図８の（ｂ）に示した点検簿Ａ内の点検項目＝「Ｐ２温度確認」の機器ＩＤ紐づけ領域に記憶されて、点検簿Ａが更新される。そして、更新された点検簿Ａは、以降の巡回点検において作業員ＦＯが携帯してきた点検端末装置３０がデータ収集機器４０の通信可能範囲内に入ると、点検端末装置３０において実行される図４に示したステップＳ１４２の点検簿Ａの更新の処理において、計測機器４１ｄの計測値（Ｐ２温度）のデータが、点検項目＝「Ｐ２温度確認」の点検結果として、データ領域Ｆｖ１−４の位置に記憶（反映）されるようになる。
【０１５３】
点検端末装置３０は、更新した点検簿を作業員ＦＯに提示する（ステップＳ３４１）。なお、点検端末装置３０が、ステップＳ３１０において、更新した点検簿を作業員ＦＯに提示する処理は、図９に示した第１の紐づけ作業におけるステップＳ２４２の処理と同様である。
【０１５４】
その後、作業員ＦＯは、点検端末装置３０に表示された更新した点検簿（点検リスト）に基づいて、点検簿に紐づけた計測機器４１による点検作業を実施して点検結果を点検項目に入力する。そして、作業員ＦＯは、設備に対して計測機器４１を全て設置（増設）し、更新した点検簿（点検リスト）に対して管理者Ｍから承認を得る。また、点検サーバ装置２０は、更新した点検簿を管理者Ｍが承認すると、更新した点検簿のデータを、点検データベース１０に記憶（保存）させる。これらの処理は、図９に示した第１の紐づけ作業と同様である。このため、図１０に示した第２の紐づけ作業のシーケンス図においては、作業員ＦＯによる更新した点検簿（点検リスト）に基づいた点検作業から、管理者Ｍに更新した点検簿（点検リスト）の承認を得るまでの処理や、点検サーバ装置２０が更新した点検簿のデータを点検データベース１０に記憶（保存）させる処理に対して、図９に示した第１の紐づけ作業のシーケンス図と同一のステップ番号を付与して示している。従って、図１０に示した第２の紐づけ作業におけるステップＳ２５０〜ステップＳ２９０までの処理に関する詳細な説明は省略する。
【０１５５】
このような処理および作業の流れ（処理シーケンス）によって、巡回点検システム１における第２の紐づけ作業では、作業員ＦＯが設備に対して計測機器４１の設置（増設）の作業を行う際に点検簿の更新も同時に行い、管理者Ｍによって更新した点検簿の承認を得て、最終的に点検簿を更新する。
【０１５６】
上記に述べたように、第１の実施形態の巡回点検システム１では、点検端末装置３０が点検サーバ装置２０から点検簿を取得する。また、第１の実施形態の巡回点検システム１では、データ収集機器４０が、対応する計測機器４１が計測した計測値を収集する。そして、第１の実施形態の巡回点検システム１では、点検端末装置３０が、データ収集機器４０が収集した計測機器４１の計測値を取得して点検簿に示された点検リストの対応する点検項目に反映させる。これにより、第１の実施形態の巡回点検システム１では、点検端末装置３０を携帯してプラント内を巡回しながら巡回点検を行う作業員ＦＯは、到着したチェックポイントにおいて、すでに計測機器４１の計測値が反映された点検簿（点検リスト）を確認することができる。このことにより、第１の実施形態の巡回点検システム１では、作業員ＦＯが、点検簿（点検リスト）に計測機器４１の計測値が反映されていない点検作業のみを行うことができる。
【０１５７】
また、第１の実施形態の巡回点検システム１では、点検端末装置３０が、計測機器４１が計測した計測値や点検作業の点検結果が入力（反映）された点検簿を報告書として、点検サーバ装置２０に出力（送信）する。また、第１の実施形態の巡回点検システム１では、点検サーバ装置２０が、点検端末装置３０から出力（送信）された報告書を、例えば、事務所などに待機している管理者Ｍに提示する。つまり、第１の実施形態の巡回点検システム１では、作業員ＦＯが、それぞれのチェックポイントに属する設備に対する点検作業の承認を得ながらプラント内を巡回して点検作業を行う。これにより、第１の実施形態の巡回点検システム１では、管理者Ｍが、作業員ＦＯがいる現在の位置のチェックポイントに属する設備の点検結果をすぐに確認することができ、必要に応じて新たな点検作業の指示を行うことができる。また、第１の実施形態の巡回点検システム１では、作業員ＦＯは、行った点検作業の点検結果に対して管理者Ｍによる承認を得ることによって、現在の位置のチェックポイントにおいて行った点検作業の確実性を向上させることができる。また、第１の実施形態の巡回点検システム１では、作業員ＦＯは、行った点検作業の点検結果が管理者Ｍによって承認された後に次のチェックポイントの向かうことによって、一度点検作業を行った設備の場所に再度出向いて再点検を行うなど、点検作業に要する時間が長くなる要因を排除することができ、一連の巡回点検の作業を効率よく行うことができる。
【０１５８】
また、第１の実施形態の巡回点検システム１では、点検端末装置３０が増設された計測機器４１から機器ＩＤを取得し、取得した機器ＩＤを点検簿の点検項目に紐づけて、点検簿を更新する。これにより、第１の実施形態の巡回点検システム１では、以降の巡回点検において、増設された計測機器４１の計測値が点検簿に示された点検リストの対応する点検項目に反映させる。このことにより、第１の実施形態の巡回点検システム１では、点検簿（点検リスト）に計測機器４１の計測値が反映されていない点検作業が少なくなり、点検簿の全ての点検項目に計測機器４１が紐づけられた場合には、再点検や保守作業などの作業の指示が出されたときを除いて、作業員ＦＯが実際に行わなければならない点検項目がなくなり、作業員ＦＯがプラント内を巡回するのみで、一連の巡回点検が完了することができる。
【０１５９】
また、第１の実施形態の巡回点検システム１では、点検端末装置３０が、更新した点検簿も点検サーバ装置２０に出力（送信）することによって、管理者Ｍの承認を得る。これにより、第１の実施形態の巡回点検システム１では、更新した点検簿の確実性を向上させることができる。
【０１６０】
なお、第１の実施形態の巡回点検システム１では、点検ルートの一例を図３の（ｂ）や図７の（ａ）に示し、点検簿の一例を図５の（ｂ）、図６、図８の（ｂ）に示した。しかし、点検ルートや点検簿の形式は、上記に示した形式に限定されるものではない。ここで、点検ルートや点検簿の別の形式の一例について説明する。図１１は、本第１の実施形態の巡回点検システム１が構築されたプラントにおいて巡回点検の点検作業を行う点検ルートおよび点検リストの別の一例を模式的に示した図である。図１１には、最初（１番目）のチェックポイントにおける点検作業が終了し、２番目のチェックポイントに出向いて点検作業を行う様子の一例を模式的に示している。
【０１６１】
図１１の（ａ）には、プラント内に設置されたチェックポイントを移動する順番が示された点検ルートの一例を示している。より具体的には、図１１の（ａ）に示した点検ルートには、最初（１番目）に点検ＩＤ＝ＳＧＷ０１のチェックポイントに出向き、２番目に点検ＩＤ＝ＳＧＷ０３のチェックポイントに出向き、３番目（最後）に点検ＩＤ＝ＳＧＷ０５のチェックポイントに出向くことが示され、それぞれのチェックポイントにおいて点検作業が終了したときにチェックマークが記載（付与）されるチェックボックスが示されている。さらに、図１１の（ａ）に示した点検ルートでは、それぞれのチェックポイントにおいて点検作業を開始した時間が記載される「開始時間」と、点検作業を終了した時間が記載される「終了時間」との項目が設けられている。
【０１６２】
図１１の（ａ）に示した点検ルートでは、作業員ＦＯによる最初（１番目）に点検ＩＤ＝ＳＧＷ０１のチェックポイントの位置における点検作業が終了し、報告書が管理者Ｍによって承認されると、点検ＩＤ＝ＳＧＷ０１のチェックポイントに対応するチェックボックスに、チェックマークＣＭが記載（付与）される。これにより、作業員ＦＯは、現在のチェックポイント（点検ＩＤ＝ＳＧＷ０１）の位置における点検作業が終了したため、点検端末装置３０に表示された点検ルートに基づいて次のチェックポイント（図１１の（ａ）においては、点検ＩＤ＝ＳＧＷ０３のチェックポイント）に移動してもよいことを確認することができる。
【０１６３】
また、図１１の（ａ）に示した点検ルートでは、点検ＩＤ＝ＳＧＷ０１のチェックポイントに対応する「開始時間」のデータ領域Ｆｔｓ１に点検作業を開始した時間が、点検ＩＤ＝ＳＧＷ０１のチェックポイントに対応する「終了時間」のデータ領域Ｆｔｅ１に点検作業を終了した時間が、それぞれ記載（付与）される。ここで、データ領域Ｆｔｓ１に記載（付与）される時間としては、例えば、作業員ＦＯが点検ＩＤ＝ＳＧＷ０１のチェックポイントの通信可能範囲内に入った時間や、点検ＩＤ＝ＳＧＷ０１のチェックポイントの通信可能範囲内の位置において作業員ＦＯが点検簿の取得を指示する操作（図４に示した巡回点検システム１におけるステップＳ１３０）を行った時間などが考えられる。また、データ領域Ｆｔｅ１に記載（付与）される時間としては、例えば、管理者Ｍが点検ＩＤ＝ＳＧＷ０１のチェックポイントの報告書に対して承認（図４に示した巡回点検システム１におけるステップＳ１８０）した時間などが考えられる。
【０１６４】
図１１の（ｂ）には、点検ＩＤ＝ＳＧＷ０３のチェックポイントであるデータ収集機器４０ｃに、計測機器４１ｅ、および計測機器４１ｆの２つの計測機器４１が属しており、データ収集機器４０ｃが、各計測機器４１の計測値を収集しているときの、点検ＩＤ＝ＳＧＷ０３のチェックポイントに対応する点検簿である点検簿Ｂの一例を示している。図１１の（ｂ）に示した点検簿Ｂでは、点検対象の設備を示す「設備」、それぞれの設備に対して行う点検作業の示す「点検項目」、それぞれの設備に対して行った点検作業の結果を示す「結果」の項目が示されている。図１１の（ｂ）に示した点検簿Ｂでは、それぞれの点検項目の点検作業を終了した時間が記載される「終了時間」の項目が設けられている。
【０１６５】
図１１の（ｂ）に示した点検簿Ｂでは、「終了時間」のデータ領域Ｆｔｅ２に、それぞれの点検項目の点検作業を終了した時間が、それぞれ記載（付与）される。図１１の（ｂ）に示した点検簿Ｂにおいて、設備＝回転機Ｍ１に対して常に行う２つの点検項目（「Ｐ１振動確認」および「Ｐ１温度確認」）と、設備＝回転機Ｍ２に対して常に行う１つの点検項目（「Ｐ１振動確認」）とは、データ収集機器４０ｃが各計測機器４１から収集した計測値が反映される。このため、データ領域Ｆｔｅ２において、設備に対して常に行う点検項目の終了時間としては、例えば、各計測機器４１が計測を行った時間、データ収集機器４０ｃが各計測機器４１から計測値を収集した時間、点検端末装置３０がデータ収集機器４０ｃから送信されてきた各計測機器４１の計測値のデータを対応する点検項目に入力（反映）した（図４に示した巡回点検システム１におけるステップＳ１４２）時間などが考えられる。
【０１６６】
また、図１１の（ｂ）に示した点検簿Ｂにおいて、設備＝回転機Ｍ１に対して必要に応じて行う３つの点検項目（「音確認」、「パイプの目視」、および「油注入」）は、管理者Ｍからの指示に応じて作業員ＦＯが新たに実施する保守作業である。このため、データ領域Ｆｔｅ２において、設備に必要に応じて行う点検項目の終了時間としては、例えば、作業員が保守作業を終了して点検結果の項目にチェックマークＣＭを入力した時間や、管理者Ｍが保守作業の終了したことが示された報告書に対して承認（図４に示した巡回点検システム１におけるステップＳ１８０）した時間などが考えられる。
【０１６７】
図１１の（ａ）に示した点検ルートや、図１１の（ｂ）に示した点検簿Ｂのように、それぞれの項目に対して時間の情報を追加することによって、作業員ＦＯが点検作業に要した時間や、それぞれのチェックポイントにおいて点検作業に要した時間などを把握することができ、把握した時間を、一連の巡回点検の作業に要する時間を短縮するための施策や、巡回点検の作業の改善に利用することができる。
【０１６８】
なお、図１１に示した点検ルートや点検簿の一例では、開始時間や終了時間の項目を追加した場合について示したが、時間の情報を追加する形式は、図１１に示した形式に限定されるものではない。例えば、点検簿内のそれぞれの点検項目において、再点検を行った場合の時間の履歴や、承認依頼をした時間の履歴、承認結果を得た時間の履歴など、それぞれの段階における時間の履歴を記録することができるような形式にしてもよい。
【０１６９】
また、第１の実施形態の巡回点検システム１では、図３の（ｂ）や図７の（ａ）に示したように、プラント内に設置されたチェックポイントを移動する順番が示された点検ルートの一例を示した。しかし、点検ルートにおいて示す巡回する経路（ルート）の形式は、上記に示した形式に限定されるものではない。例えば、プラント内の地図上にそれぞれのチェックポイントを巡回する経路を示す点検ルートマップの形式としてもよい。そして、点検端末装置３０に、例えば、ＧＰＳ（Ｇｌｏｂａｌ  Ｐｏｓｉｔｉｏｎｉｎｇ  Ｓｙｓｔｅｍ）衛星からのＧＰＳ信号を受信して位置の情報を取得する機能（以下、「ＧＰＳ機能」という）を備えている場合には、点検ルートマップに、ＧＰＳ機能によって取得した点検端末装置３０の現在の位置を示すようにしてもよい。
【０１７０】
なお、点検ルートマップにおいて示す巡回する経路は、例えば、多くの作業を経験している（熟練した）作業員が、以前の巡回点検の作業においてプラント内のチェックポイントを巡回しているときにＧＰＳ機能によって取得した移動経路の情報に基づいて決定してもよい。このようにすることによって、まだ多くの作業を経験していない作業員であっても、点検ルートマップに従って巡回することによって、熟練した作業員と同様の経路で容易にチェックポイントを巡回することができ、より効率よく一連の巡回点検の作業を行うことができる。
【０１７１】
なお、第１の実施形態の巡回点検システム１では、点検端末装置３０と点検サーバ装置２０とが、クライアント−サーバ型のシステムとして構成されている場合について説明した。しかし、上述したように、点検サーバ装置２０は、クラウドコンピューティングシステムに備えたクラウドサーバ装置であってもよい。つまり、上述したように、巡回点検システム１は、点検端末装置３０と点検サーバ装置２０とによるウェブアプリケーション型のシステムとして構成されてもよい。
【０１７２】
＜第２の実施形態＞
次に、本発明の第２の実施形態について説明する。第２の実施形態の巡回点検システム（以下、「巡回点検システム２」という）も、第１の実施形態の巡回点検システム１と同様に、作業員ＦＯがチェックポイントに出向いて点検作業を行い、点検作業の結果に対する管理者Ｍの承認を得ながらプラント内を巡回して、一連の巡回点検の作業を行う点検システムである。このため、巡回点検システム２を構成する構成要素には、図１に示した第１の実施形態の巡回点検システム１を構成する構成要素と同様の構成要素も含んでいる。従って、以下の説明においては、第２の実施形態の巡回点検システム２において、第１の実施形態の巡回点検システム１の構成要素と同様の構成要素には同一の符号を付与し、その構成要素に関する詳細な説明は省略する。
【０１７３】
図１２は、本発明の第２の実施形態における巡回点検システム２を構成する点検サーバ装置と点検端末装置との概略構成を示したブロック図である。図１２に示したように、巡回点検システム２では、図１および図２に示した第１の実施形態の巡回点検システム１を構成する点検サーバ装置２０が点検サーバ装置２１に代わり、点検端末装置３０が点検端末装置３１に代わっている。なお、図１２においても、巡回点検システム２を構成する点検データベース１０とデータ収集機器４０とも併せて示している。なお、巡回点検システム２において、点検データベース１０とデータ収集機器４０とは、図１および図２に示した第１の実施形態の巡回点検システム１と同様である。
【０１７４】
点検サーバ装置２１は、制御部２０１と、クライアント通信部２０２と、データインターフェース部２０３と、表示部２０４と、作業承認部２０５と、点検簿データ部２１６と、作業承認依頼部２１７とを含んで構成される。また、点検端末装置３１は、制御部３０１と、サーバ通信部３０２と、機器通信部３０４と、表示部３１５とを含んで構成される。
【０１７５】
図１２に示したように、巡回点検システム２では、第１の実施形態の巡回点検システム１を構成する点検端末装置３０に備えていた点検簿データ部３０３および作業承認依頼部３０６を、点検簿データ部２１６および作業承認依頼部２１７として点検サーバ装置２１に備えた構成である。言い換えれば、巡回点検システム２では、第１の実施形態の巡回点検システム１を構成する点検端末装置３０に備えていた点検簿データ部３０３と作業承認依頼部３０６とが、点検サーバ装置２１に移動した構成である。また、点検端末装置３１では、表示部３０５が表示部３１５に代わっている。
【０１７６】
なお、巡回点検システム２において、その他の構成要素は、図２に示した第１の実施形態の巡回点検システム１を構成する対応する構成要素と同様である。従って、以下の説明においては、第２の実施形態の巡回点検システム２を構成する構成要素において、第１の実施形態の巡回点検システム１を構成する構成要素に対応する構成要素には同一の符号を付与して、それぞれの構成要素の機能に関する詳細な説明は省略し、点検端末装置３０に備えていた構成要素が点検サーバ装置２１に移動したことによって異なる動作についてのみを説明する。
【０１７７】
まず、点検端末装置３１において、第１の実施形態の巡回点検システム１を構成する点検端末装置３０に備えた構成要素から代わった構成要素について説明する。
【０１７８】
表示部３１５は、第１の実施形態の巡回点検システム１を構成する点検端末装置３０に備えた表示部３０５と同様に、制御部３０１から出力されたデータに応じた表示画面を生成して表示することによって、点検端末装置３１を携帯している作業員ＦＯに様々な情報を提示する。また、表示部３１５は、第１の実施形態の巡回点検システム１を構成する点検端末装置３０に備えた作業承認依頼部３０６に代わって、作業員ＦＯによる様々な操作を受け付ける。つまり、表示部３１５は、第１の実施形態の巡回点検システム１を構成する点検端末装置３０に備えた表示部３０５と作業承認依頼部３０６との機能を備えている。点検端末装置３１において表示部３１５は、例えば、文字や画像を表示する液晶ディスプレイなどの表示デバイスと、押圧センサなどによって作業員ＦＯによるタップやフリックなどの各種のタッチ操作を検出する検出デバイスとが組み合わされたタッチパネルとして構成されている。表示部３１５は、表示デバイス上に表示画面を表示すると共に、表示画面に対して作業員ＦＯが行った操作を検出デバイスによって検出し、検出した操作を表す情報を、制御部３０１に出力する。例えば、表示部３１５は、作業員ＦＯによる報告書の承認依頼を要求するタッチ操作を検出すると、報告書の承認依頼の要求がされたことを表す情報を制御部３０１に出力する。なお、表示部３１５は、表示デバイスと検出デバイスとが組み合わされたタッチパネルとしての構成に限定されるものではなく、例えば、表示デバイスと、ボタンやスイッチ類などの入力デバイスとによって構成されてもよい。
【０１７９】
続いて、点検サーバ装置２１において、第１の実施形態の巡回点検システム１を構成する点検サーバ装置２０に追加された構成要素について説明する。
【０１８０】
点検簿データ部２１６は、第１の実施形態の巡回点検システム１を構成する点検端末装置３０に備えた点検簿データ部３０３と同様に、制御部２０１からの制御に応じて、制御部２０１から出力されたデータを記憶、または記憶しているデータを制御部２０１に出力するデータ記憶装置である。より具体的には、点検簿データ部２１６は、制御部２０１からのデータ書き込みの制御に応じて、制御部２０１から出力された点検ルートや、点検簿のデータを記憶する。また、点検簿データ部２１６は、制御部２０１からのデータ更新の制御に応じて、記憶している点検簿のデータに含まれる点検結果のデータ領域（点検簿に示された点検リストにおいて制御部２０１から指定された点検作業の項目の点検結果のデータ領域）に、点検端末装置３１から送信され制御部２０１から出力された、計測機器４１の計測値のデータや、作業員ＦＯが実施した点検作業の点検結果のデータを記憶（更新）する。また、点検簿データ部２１６は、制御部２０１からのデータ読み出しの制御に応じて、記憶しているデータ（点検ルートのデータや点検簿のデータなど）を、制御部２０１に出力する。
【０１８１】
なお、点検簿データ部２１６は、第１の実施形態の巡回点検システム１を構成する点検端末装置３０に備えた点検簿データ部３０３と同様に、制御部２０１からの制御に応じて、制御部２０１から出力されたデータを一時的に記憶（保持）する、例えば、ＤＲＡＭなどの構成であってもよい。
【０１８２】
作業承認依頼部２１７は、点検簿データ部２１６に記憶している点検簿のデータを監視し、点検簿が報告書として承認依頼を受けられる状態であるか否かを判定する判定部である。作業承認依頼部２１７は、点検簿データ部２１６に記憶している点検簿のデータに含まれる全ての点検結果のデータ領域に、計測機器４１の計測値のデータや点検作業の点検結果のデータが記憶（更新）された場合に、点検簿が報告書として承認依頼を受けられる状態であると判定する。作業承認依頼部２１７は、判定した点検簿の状態を表す通知信号を、制御部２０１に出力する。なお、点検サーバ装置２１では、制御部２０１が、作業承認依頼部２１７から出力された通知信号が、点検簿が報告書として承認依頼を受けられる状態であることを表しており、点検端末装置３１から、作業員ＦＯによって報告書の承認依頼の要求がされたことを表す情報が送信されてきたときに、承認依頼があったものとして処理が行われる。
【０１８３】
このような構成によって、巡回点検システム２では、第１の実施形態の巡回点検システム１と同様の処理を、ウェブアプリケーション型のシステム構成で実現する。より具体的には、巡回点検システム２では、点検端末装置３１が、プラント内に構築された無線通信ネットワークを介した通信によって、点検サーバ装置２１から送信されてきた点検簿を表示部３１５に表示する。また、巡回点検システム２でも、データ収集機器４０が、対応する計測機器４１が計測した計測値を収集する。そして、巡回点検システム２では、点検端末装置３１が、データ収集機器４０が収集した計測機器４１の計測値を取得し、取得した計測機器４１の計測値を、無線通信ネットワークを介して点検サーバ装置２１に出力（送信）する。点検サーバ装置２１は、点検端末装置３１から出力（送信）された計測機器４１の計測値を、点検簿データ部２１６に記憶している点検簿に示された点検リストの対応する点検項目に反映させる。そして、点検サーバ装置２１は、計測機器４１の計測値が反映された点検簿を、無線通信ネットワークを介して点検端末装置３１に出力（送信）する。点検端末装置３１は、点検サーバ装置２１から出力（送信）された点検簿を表示部３１５に表示することによって、計測機器４１の計測値が反映された点検簿を、作業員ＦＯに提示する。これにより、プラント内を巡回して巡回点検を行う作業員ＦＯは、第１の実施形態の巡回点検システム１と同様に、到着したチェックポイントにおいて、点検リストに計測値が反映されていない点検作業のみを行うことができる。
【０１８４】
また、巡回点検システム２では、点検簿データ部２１６に記憶している、計測機器４１が計測した計測値や点検作業の点検結果が入力（反映）された点検簿を報告書として、管理者Ｍに提示する。これにより、管理者Ｍは、第１の実施形態の巡回点検システム１と同様に、作業員ＦＯが点検作業を行っている現在のチェックポイントの位置の周辺に配置されている設備の点検結果をすぐに確認することができ、必要に応じて新たな点検作業の指示を行うことができる。また、巡回点検システム２においても、作業員ＦＯが、第１の実施形態の巡回点検システム１と同様に、行った点検作業の点検結果が管理者Ｍによって承認された後に、次のチェックポイントの向かうことによって、効率よく一連の巡回点検の作業を行うことができる。
【０１８５】
次に、巡回点検システム２が構築されたプラントにおいて巡回点検の点検作業を行う際の処理および作業について説明する。図１３は、本第２の実施形態の巡回点検システム２が構築されたプラントにおいて巡回点検の点検作業を行う際の処理および作業の流れ（処理シーケンス）を示したシーケンス図である。図１３には、図４に示した第１の実施形態の巡回点検システム１における処理シーケンスと同様に、作業員ＦＯが巡回点検の点検作業を行う際に動作する、巡回点検システム２を構成する点検端末装置３１、データ収集機器４０、および点検サーバ装置２１のそれぞれにおける処理の流れの一例を示している。なお、図１３にも、図４に示した第１の実施形態の巡回点検システム１における処理シーケンスと同様に、巡回点検において点検作業を行う作業員ＦＯの作業（点検端末装置３１に対する操作）と、巡回点検の報告書（チェックポイントにおいて行った点検作業の点検結果）を確認して承認を行う管理者Ｍの作業（点検サーバ装置２１に対する操作）とも併せて示している。
【０１８６】
なお、以下の説明においても、点検データベース１０に、点検ルートのデータ、および点検簿のデータなどがすでに記憶されているものとする。また、以下の説明においては、点検端末装置３１は、点検サーバ装置２１との間のデータや情報のやり取りを、公衆のインターネットによって行い、データ収集機器４０との間のデータや情報のやり取りを、ＷｉＦｉ（登録商標）などの無線通信によって行うものとする。また、以下の説明においては、ウェブアプリケーション型の巡回点検システム２におけるサーバ装置として動作するサーバソフトウェア（例えば、点検ソフトウェア）が点検サーバ装置２１において実行されており、ウェブアプリケーション型の巡回点検システム２におけるクライアント装置として動作するクライアントプログラム（例えば、点検アプリケーションプログラム）が点検端末装置３１において実行されているものとする。ここで、巡回点検システム２において点検端末装置３１が実行する点検アプリケーションとしては、例えば、ウェブブラウザ（Ｗｅｂブラウザ）によって点検サーバ装置２１が実行している点検ソフトウェアと連携し、表示画面の表示や、表示画面に対して行った操作を受け付けるアプリケーションなどが考えられる。
【０１８７】
なお、図１３に示した巡回点検システム２における処理シーケンスには、図４に示した第１の実施形態の巡回点検システム１における処理シーケンスと同様の処理や作業が含まれている。そして、図１３においては、図４に示した第１の実施形態の巡回点検システム１における処理シーケンスと同様の処理や作業に、同一のステップ番号を付与して示している。従って、図１３に示した巡回点検システム２における処理シーケンスの説明では、第１の実施形態の巡回点検システム１における処理シーケンスと同一のステップ番号を付与した処理や作業に関する詳細な説明は省略する。
【０１８８】
まず、巡回点検における準備段階において、作業員ＦＯは、巡回点検を開始する前に、点検端末装置３１を操作して点検ルートの取得を指示する（ステップＳ１１０）。これにより、点検端末装置３１は、ステップＳ１１０における作業員ＦＯからの点検ルートの取得指示に応じて、点検ルートの送信の要求を、インターネットを介して、点検サーバ装置２１に送信する（ステップＳ１１１）。
【０１８９】
点検サーバ装置２１は、インターネットを介して送信されてきた点検ルートの送信要求に応じて、点検データベース１０に記憶（保存）されている点検ルートのデータを読み出して記憶する（ステップＳ４１２）。そして、点検サーバ装置２１は、記憶した点検ルートを表す点検ルート画面のデータを点検端末装置３１に送信する（ステップＳ４１３）。より具体的には、クライアント通信部２０２は、サーバ通信部３０２から送信されてきた点検ルートの送信要求を受信すると、ステップＳ４１２において、点検ルートが要求されたことを表す情報を制御部２０１に出力する。これにより、制御部２０１は、点検データベース１０に記憶（保存）されている点検ルートのデータを読み出すことを指示する制御信号をデータインターフェース部２０３に出力する。データインターフェース部２０３は、制御部２０１から出力された点検ルートの読み出しの制御に応じて、点検データベース１０に記憶（保存）されている点検ルートのデータを検索し、要求された点検ルートに合致するデータを、点検データベース１０から読み出して制御部２０１に出力する。制御部２０１は、データインターフェース部２０３から出力された点検ルートのデータと、この点検ルートのデータを書き込むことを指示する制御信号を点検簿データ部２１６に出力する。点検簿データ部２１６は、制御部２０１から出力された点検ルートのデータの書き込みの制御に応じて、制御部２０１から出力された点検ルートのデータを記憶する。また、制御部２０１は、データインターフェース部２０３から出力された点検ルートを表す点検ルート画面のデータ（例えば、レイヤー）を、クライアント通信部２０２に出力する。これにより、クライアント通信部２０２は、ステップＳ４１３において、制御部２０１から出力された点検ルート画面のデータを、インターネットを介して、点検端末装置３１に備えたサーバ通信部３０２に送信する。
【０１９０】
点検端末装置３１は、インターネットを介して送信されてきた点検ルート画面を作業員ＦＯに提示する（ステップＳ４１４）。より具体的には、サーバ通信部３０２は、クライアント通信部２０２から送信されてきた点検ルート画面のデータを受信すると、受信した点検ルート画面のデータを制御部３０１に出力する。これにより、制御部３０１は、サーバ通信部３０２から出力された点検ルート画面のデータと、この点検ルート画面のデータを表示させることを指示する制御信号を表示部３０５に出力する。表示部３０５は、ステップＳ４１４において、制御部３０１から出力された点検ルート画面のデータに応じた表示画面を生成して表示することによって、インターネットを介して点検サーバ装置２１から送信されてきた点検ルート画面を作業員ＦＯに提示する。これにより、作業員ＦＯは、点検端末装置３１に点検ルート画面が表示された状態で最初（１番目）のチェックポイントに移動する（出向く）ことができる。
【０１９１】
その後、作業員ＦＯが、点検端末装置３１に表示された点検ルート画面に基づいてチェックポイントに移動する（ステップＳ１２０）。
【０１９２】
そして、巡回点検における点検作業段階において、作業員ＦＯは、移動してきた現在のチェックポイントの通信可能範囲内の位置において、点検端末装置３１を操作して、点検簿の取得を指示する（ステップＳ４３０）。より具体的には、作業員ＦＯは、ステップＳ４３０において、点検端末装置３１に備えた表示部３０５の表示画面を操作（例えば、点検ルート画面上の「点検簿取得ボタン」をタップ）し、点検簿の取得を指示する。これにより、点検端末装置３１は、ステップＳ４３０における作業員ＦＯからの点検簿の取得指示に応じて、点検ＩＤの送信の要求を、無線通信によってデータ収集機器４０に送信する（ステップＳ１３１）。これにより、データ収集機器４０は、無線通信によって送信されてきた点検ＩＤの送信要求に応じて、自身の点検ＩＤの情報を、無線通信によって点検端末装置３１に送信する（ステップＳ１３２）。
【０１９３】
なお、点検端末装置３１が、無線通信によってデータ収集機器４０とデータや情報の送受信を行うことができる通信可能範囲内に入ったことを自動で判定する構成である場合には、作業員ＦＯは、ステップＳ４３０において点検簿の取得を指示する操作を行わなくてもよい。この場合、点検端末装置３１は、作業員ＦＯが移動してきた現在のチェックポイントの通信可能範囲内の位置において、データや情報の送受信を行うことができるデータ収集機器４０との無線通信を自動で開始し、ステップＳ１３１において、点検ＩＤの送信要求がデータ収集機器４０に送信され、ステップＳ１３２において、データ収集機器４０から、点検ＩＤの情報が送信されてくる。
【０１９４】
点検端末装置３１は、無線通信によって送信されてきたデータ収集機器４０の点検ＩＤを受信すると、受信した点検ＩＤに対応する点検簿の送信の要求を、インターネットを介して、点検サーバ装置２１に送信する（ステップＳ１３３）。
【０１９５】
点検サーバ装置２１は、インターネットを介して送信されてきた点検簿の送信要求に応じて、点検データベース１０に記憶（保存）されている点検簿のデータを読み出して記憶する（ステップＳ４３４）。より具体的には、クライアント通信部２０２は、サーバ通信部３０２から送信されてきた点検ＩＤと点検簿の送信要求とを受信すると、ステップＳ４３４において、点検ＩＤの情報と、点検簿が要求されたことを表す情報とを制御部２０１に出力する。これにより、制御部２０１は、点検データベース１０に記憶（保存）されている点検ＩＤに対応する点検簿のデータを読み出すことを指示する制御信号をデータインターフェース部２０３に出力する。データインターフェース部２０３は、制御部２０１から出力された点検簿の読み出しの制御に応じて、点検データベース１０に記憶（保存）されている点検ＩＤに対応する点検簿のデータを検索し、要求された点検簿に合致するデータを、点検データベース１０から読み出して制御部２０１に出力する。制御部２０１は、データインターフェース部２０３から出力された点検簿のデータと、この点検簿のデータを書き込むことを指示する制御信号を点検簿データ部２１６に出力する。点検簿データ部２１６は、制御部２０１から出力された点検簿のデータの書き込みの制御に応じて、制御部２０１から出力された点検簿のデータを記憶する。
【０１９６】
続いて、点検端末装置３１は、対応する計測機器４１のデータ（計測値）の送信の要求を、無線通信によってデータ収集機器４０に送信する（ステップＳ１４０）。これにより、データ収集機器４０は、無線通信によって送信されてきた計測機器４１の計測値の送信要求に応じて、対応する各計測機器４１の計測値のデータを、無線通信によって点検端末装置３１に送信する（ステップＳ１４１）。
【０１９７】
点検端末装置３１は、無線通信によってデータ収集機器４０から送信されてきた各計測機器４１の計測値のデータを受信すると、受信した各計測機器４１の計測値のデータを、インターネットを介して、点検サーバ装置２１に送信する（ステップＳ４４２）。より具体的には、機器通信部３０４は、ステップＳ１４１において無線通信によって送信されてきたデータ収集機器４０が対応する各計測機器４１の計測値のデータを受信すると、受信した各計測機器４１の計測値のデータを制御部３０１に出力する。これにより、制御部３０１は、ステップＳ４４２において、機器通信部３０４から出力された各計測機器４１の計測値のデータと、この各計測機器４１の計測値のデータを送信することを表す指示信号（制御信号）をサーバ通信部３０２に出力する。これにより、サーバ通信部３０２は、制御部３０１から出力された測定値のデータを送信する指示信号に従って、各計測機器４１の計測値のデータを、インターネットを介して、点検サーバ装置２１に備えたクライアント通信部２０２に送信する。
【０１９８】
点検サーバ装置２１は、インターネットを介して送信されてきた各計測機器４１の計測値のデータを受信すると、受信した各計測機器４１の計測値のデータを、点検簿データ部２１６に記憶している点検簿に示された点検リストの対応する点検項目に入力（反映）して、点検簿データ部２１６に記憶している点検簿を更新させる（ステップＳ４４３）。より具体的には、クライアント通信部２０２は、ステップＳ４４２においてインターネットによって送信されてきたデータ収集機器４０が対応する各計測機器４１の計測値のデータを受信すると、受信した各計測機器４１の計測値のデータを制御部２０１に出力する。これにより、制御部２０１は、ステップＳ４４３において、それぞれの計測機器４１の計測値のデータと、この計測機器４１の計測値のデータに対応する点検簿に示された点検リスト内の点検作業の項目における点検結果のデータ領域を更新することを表す制御信号とを、点検簿データ部２１６に出力する。これにより、点検簿データ部２１６は、制御部２０１からのデータ更新の制御に応じて、計測機器４１の計測値のデータに紐づけられた、計測機器４１を識別するための識別情報である機器ＩＤに基づいて、点検簿に示された点検リストの対応する点検項目の点検結果のデータ領域に、制御部２０１から出力された計測機器４１の計測値のデータを記憶（更新）する。
【０１９９】
なお、ステップＳ４４３における点検簿の更新、つまり、点検端末装置３１を介してデータ収集機器４０から受信した各計測機器４１の計測値のデータを点検簿に示された点検リストの対応する点検項目に入力（反映）する処理を行った点検簿は、第１の実施形態の巡回点検システム１において、点検端末装置３０が各計測機器４１の計測値のデータを反映した点検簿と同様である。つまり、第１の実施形態の巡回点検システム１において図５を用いて模式的に示した一例と同様である。従って、ステップＳ４４３における点検簿の更新の処理の一例についての詳細な説明は省略する。
【０２００】
点検サーバ装置２１は、記憶した点検簿を表す点検簿画面のデータを点検端末装置３１に送信する（ステップＳ４４４）。より具体的には、制御部２０１は、計測機器４１の計測値のデータを反映した点検簿のデータを読み出すことを指示する制御信号を点検簿データ部２１６に出力する。点検簿データ部２１６は、制御部２０１から出力された点検簿のデータの読み出しの制御に応じて、記憶している点検簿のデータを制御部２０１に出力する。制御部２０１は、点検簿データ部２１６から出力された点検簿を表す点検簿画面のデータ（例えば、レイヤー）を、クライアント通信部２０２に出力する。これにより、クライアント通信部２０２は、ステップＳ４４４において、制御部２０１から出力された点検簿画面のデータを、インターネットを介して、点検端末装置３１に備えたサーバ通信部３０２に送信する。
【０２０１】
点検端末装置３１は、インターネットを介して送信されてきた点検簿画面を作業員ＦＯに提示する（ステップＳ４４５）。より具体的には、サーバ通信部３０２は、クライアント通信部２０２から送信されてきた点検簿画面のデータを受信すると、受信した点検簿画面のデータを制御部３０１に出力する。これにより、制御部３０１は、サーバ通信部３０２から出力された点検簿画面のデータと、この点検簿画面のデータを表示させることを指示する制御信号を表示部３０５に出力する。表示部３０５は、ステップＳ４４５において、制御部３０１から出力された点検簿画面のデータに応じた表示画面を生成して表示することによって、インターネットを介して点検サーバ装置２１から送信されてきた点検簿画面を作業員ＦＯに提示する。これにより、作業員ＦＯは、点検端末装置３１に表示された点検簿画面（点検簿：点検リスト）を確認して、現在のチェックポイントの位置において実施する必要がある点検作業を確認することができる。
【０２０２】
その後、作業員ＦＯは、点検端末装置３１に表示された点検簿画面に基づいて、実施する必要がある点検作業を実施する（ステップＳ１５０）。そして、作業員ＦＯは、実施した点検作業の点検結果を、点検簿に示された点検リストの対応する点検項目に入力する（ステップＳ４５１）。より具体的には、作業員ＦＯは、ステップＳ４５１において、点検端末装置３１に備えた表示部３０５の表示画面を操作し、行った点検作業に対応する点検簿に示された点検リスト内の点検作業の項目の点検結果のデータ領域を選択（例えば、点検簿画面でデータ領域Ｆｖをタップ）して、点検作業の点検結果を入力する。制御部３０１は、ステップＳ４５１において表示部３０５によって点検作業の点検結果が入力されると、ステップＳ４４２における処理と同様に、選択されたデータ領域を表す情報と、入力された点検結果のデータとを、インターネットを介して、点検サーバ装置２１に送信する（ステップＳ４５２）。
【０２０３】
点検サーバ装置２１は、インターネットを介して送信されてきたデータ領域の情報と点検結果のデータとを受信すると、ステップＳ４４３における処理と同様に、受信した点検結果のデータを、点検簿データ部２１６に記憶している点検簿に示された点検リストの対応する点検項目に入力（反映）して、点検簿データ部２１６に記憶している点検簿を更新させる（ステップＳ４５３）。より具体的には、クライアント通信部２０２は、ステップＳ４５２においてインターネットによって送信されてきたデータ領域を表す情報と点検結果のデータとを受信すると、受信したデータ領域を表す情報と点検結果のデータとを制御部２０１に出力する。これにより、制御部２０１は、ステップＳ４５３において、点検結果のデータと、このデータ領域を表す情報に対応する点検簿に示された点検リスト内の点検作業の項目における点検結果のデータ領域を更新することを表す制御信号とを、点検簿データ部２１６に出力する。これにより、点検簿データ部２１６は、制御部２０１からのデータ更新の制御に応じて、点検簿に示された点検リスト内のデータ領域の情報に表された点検項目の点検結果のデータ領域に、制御部２０１から出力された点検結果のデータを記憶（更新）する。そして、制御部３０１は、ステップＳ４４４における処理と同様に、更新した点検簿を表す点検簿画面のデータを、インターネットを介して点検端末装置３１に送信する。これにより、点検端末装置３１は、ステップＳ４４５における処理と同様に、インターネットを介して送信されてきた点検簿画面を作業員ＦＯに提示する。
【０２０４】
作業員ＦＯは、点検端末装置３１に表示された点検簿画面に基づいて、実施する必要がある全ての点検作業の実施、つまり、ステップＳ１５０およびステップＳ４５１の処理および作業を繰り返す。これにより、点検端末装置３１に表示された点検簿画面内の全ての点検項目に、計測機器４１の計測値のデータまたは作業員ＦＯが実施した点検作業の点検結果のデータが反映される。なお、作業員ＦＯは、ステップＳ４４５において提示された計測機器４１の計測値のデータが反映された点検簿画面を確認した結果、現在のチェックポイントの位置において実施する必要がある点検作業がないことが確認された場合には、ステップＳ１５０およびステップＳ４５１の処理および作業を行う必要はない。
【０２０５】
ここで、作業承認依頼部２１７は、ステップＳ４４３またはステップＳ４５３における点検簿内のデータ領域の記憶（更新）の処理によって、点検簿データ部２１６に記憶している点検簿のデータに含まれる全ての点検項目のデータ領域に、計測機器４１の計測値のデータや点検結果のデータが記憶（更新）されたと判定すると、点検簿が報告書として承認依頼を受けられる状態であることを表す通知信号を、制御部２０１に出力する。
【０２０６】
その後、巡回点検における承認段階において、作業員ＦＯは、点検端末装置３１に表示された点検簿画面の全ての点検項目に計測機器４１の計測値のデータまたは作業員ＦＯが実施した点検作業の点検結果のデータが反映されたとき、つまり、現在の位置のチェックポイントにおける点検作業を終了したとき、報告書の承認依頼を指示する（ステップＳ４６０）。より具体的には、作業員ＦＯは、ステップＳ４６０において、点検端末装置３１に備えた表示部３０５の表示画面を操作（例えば、点検簿画面上の「承認依頼ボタン」をタップ）し、承認依頼の要求を指示する。これにより、点検端末装置３１は、ステップＳ４６０における作業員ＦＯからの承認依頼の要求指示に応じて、報告書に対する承認依頼の要求を、点検サーバ装置２１に送信する（ステップＳ４６１）。より具体的には、制御部３０１は、ステップＳ４６１において、報告書（点検簿）のデータに対する承認依頼を要求することを表す指示信号（制御信号）をサーバ通信部３０２に出力する。これにより、サーバ通信部３０２は、制御部３０１から出力された承認依頼を要求する指示信号に従って、報告書（点検簿）に対する承認依頼の要求を、インターネットを介して、点検サーバ装置２１に備えたクライアント通信部２０２に送信する。
【０２０７】
点検サーバ装置２１は、インターネットを介して送信されてきた承認依頼の要求に応じて、報告書と承認依頼とを管理者Ｍに提示する（ステップＳ４６２）。より具体的には、クライアント通信部２０２は、サーバ通信部３０２から送信されてきた承認依頼の要求を受信すると、報告書に対する承認依頼があったことを表す情報とを制御部２０１に出力する。これにより、制御部２０１は、作業承認依頼部２１７から出力された通知信号が、点検簿が報告書として承認依頼を受けられる状態であることを表している場合、クライアント通信部２０２から出力された報告書に対する承認依頼があったことを表す情報に基づいて、記憶している点検簿のデータを報告書として読み出すことを指示する制御信号を点検簿データ部２１６に出力する。点検簿データ部２１６は、制御部２０１から出力された点検簿（報告書）の読み出しの制御に応じて、記憶している点検簿のデータを、制御部２０１に出力する。そして、制御部２０１は、点検簿データ部２１６から出力された報告書のデータと、この報告書のデータを書き込むことを指示する制御信号をデータインターフェース部２０３に出力する。データインターフェース部２０３は、制御部２０１から出力された報告書の書き込みの制御に応じて、制御部２０１から出力された報告書のデータを、点検データベース１０に記憶（保存）させる。また、制御部２０１は、点検簿データ部２１６から出力された報告書のデータと、この報告書のデータおよび承認依頼を表す情報を表示させることを指示する制御信号を表示部２０４に出力する。表示部２０４は、ステップＳ４６２において、制御部２０１から出力された報告書のデータおよび承認依頼の情報に応じた表示画面を生成して表示することによって、点検簿データ部２１６に記憶している計測機器４１の計測値のデータや点検結果のデータが反映された報告書を管理者Ｍに提示する。
【０２０８】
その後、管理者Ｍは、点検サーバ装置２１に表示された報告書の内容、つまり、作業員ＦＯが実施した現在のチェックポイントの位置における点検作業の点検結果を確認する（ステップＳ１７０）。そして、管理者Ｍは、点検サーバ装置２１に表示された報告書の内容に基づいて、報告書の承認依頼に対する承認結果を入力する（ステップＳ１８０）。これにより、点検サーバ装置２１は、報告書の承認結果の情報を、インターネットを介して、点検端末装置３１に送信する（ステップＳ１８１）。
【０２０９】
点検端末装置３１は、インターネットを介して送信されてきた承認結果の情報を、作業員ＦＯに提示する（ステップＳ１８２）。これにより、作業員ＦＯは、点検端末装置３１に表示された報告書に対する承認結果を確認することができる。なお、作業員ＦＯは、点検端末装置３１に表示された報告書に対する承認結果した結果、実施した点検作業の結果が承認されなかった場合には、図４に示した第１の実施形態の巡回点検システム１における処理シーケンスと同様に、巡回点検における点検作業段階の処理および作業と、巡回点検における承認段階の処理および作業を再び行う。つまり、作業員ＦＯは、巡回点検システム２におけるステップＳ１５０〜ステップＳ１８２の処理および作業を繰り返す。
【０２１０】
なお、報告書に対する承認結果に示される管理者Ｍからの再点検や新たな点検作業の指示の方法は、第１の実施形態の巡回点検システム１において再点検や新たな点検作業を指示する方法と同様である。つまり、第１の実施形態の巡回点検システム１において図６を用いて模式的に示した一例と同様である。従って、管理者Ｍが再点検や新たな点検作業を指示する方法の一例についての詳細な説明は省略する。
【０２１１】
作業員ＦＯは、ステップＳ１８２において点検端末装置３１に表示された報告書に対する承認結果、実施した点検作業の結果が承認された場合には、現在のチェックポイントの位置における点検作業を終了する（ステップＳ１９０）。そして、作業員ＦＯは、第１の実施形態の巡回点検システム１における処理シーケンスと同様に、点検端末装置３１に表示された点検ルート画面に基づいて次のチェックポイントに移動して（出向いて）、移動してきた現在のチェックポイントの通信可能範囲内の位置において同様に点検作業を行う。つまり、作業員ＦＯは、図１３に示した巡回点検システム２におけるステップＳ１２０〜ステップＳ１９０の処理および作業（巡回点検における点検作業段階および承認段階の処理および作業）を、点検端末装置３１に表示された点検ルート画面に示された全てのチェックポイントにおける点検作業が完了するまで繰り返す。
【０２１２】
このような処理および作業の流れ（処理シーケンス）によって、巡回点検システム２でも、第１の実施形態の巡回点検システム１における処理シーケンスと同様に、作業員ＦＯが点検端末装置３１を携帯してプラント内に設置されたそれぞれのチェックポイントを順次移動し、管理者Ｍによる点検結果の承認を得ながら、一連の巡回点検の作業を行う。
【０２１３】
なお、巡回点検システム２が構築されたプラントにおいても、第１の実施形態の巡回点検システム１と同様に、増設された計測機器４１を点検簿に示された点検リストの点検項目に紐づけることができる。第１の実施形態の巡回点検システム１において図９に示した第１の紐づけ作業や、図１０に示した第２の紐づけ作業における処理および作業の流れ（処理シーケンス）と同様に考えることができる。従って、巡回点検システム２において増設された計測機器４１を点検簿に示された点検リストの点検項目に紐づける処理および作業の流れ（処理シーケンス）に関する詳細な説明は省略する。
【０２１４】
上記に述べたように、第２の実施形態の巡回点検システム２では、点検端末装置３１が、点検サーバ装置２１から送信されてきた点検簿を表す点検簿画面を表示する。言い換えれば、第２の実施形態の巡回点検システム２でも、点検端末装置３１が、第１の実施形態の巡回点検システム１と同様に、点検サーバ装置２１から点検簿を取得する。また、第２の実施形態の巡回点検システム２でも、第１の実施形態の巡回点検システム１と同様に、データ収集機器４０が、対応する計測機器４１が計測した計測値を収集する。そして、第２の実施形態の巡回点検システム２では、点検端末装置３１が、データ収集機器４０が収集した計測機器４１の計測値を取得して点検サーバ装置２１に送信し、点検サーバ装置２１が、点検端末装置３１から送信された計測機器４１の計測値を点検簿に示された点検リストの対応する点検項目に反映させて、計測機器４１の計測値が反映された点検簿画面を点検端末装置３１に送信する。これにより、第２の実施形態の巡回点検システム２でも、第１の実施形態の巡回点検システム１と同様の効果を得ることができる。より具体的には、第２の実施形態の巡回点検システム２でも、第１の実施形態の巡回点検システム１と同様に、点検端末装置３１を携帯してプラント内を巡回しながら巡回点検を行う作業員ＦＯは、到着したチェックポイントにおいて、すでに計測機器４１の計測値が反映された点検簿画面、つまり、点検簿（点検リスト）を確認することができる。これにより、第２の実施形態の巡回点検システム２でも、第１の実施形態の巡回点検システム１と同様に、作業員ＦＯが、点検簿（点検リスト）に計測機器４１の計測値が反映されていない点検作業のみを行うことができる。
【０２１５】
また、第２の実施形態の巡回点検システム２では、点検サーバ装置２１が、点検端末装置３１からの要求に応じて、計測機器４１が計測した計測値や点検作業の点検結果が入力（反映）された点検簿を報告書として、例えば、事務所などに待機している管理者Ｍに提示する。そして、第２の実施形態の巡回点検システム２でも、第１の実施形態の巡回点検システム１と同様に、作業員ＦＯが、それぞれのチェックポイントに属する設備に対する点検作業の承認を得ながらプラント内を巡回して点検作業を行う。これにより、第２の実施形態の巡回点検システム２でも、第１の実施形態の巡回点検システム１と同様の効果を得ることができる。より具体的には、第２の実施形態の巡回点検システム２でも、第１の実施形態の巡回点検システム１と同様に、管理者Ｍが、作業員ＦＯがいる現在の位置のチェックポイントに属する設備の点検結果をすぐに確認することができ、必要に応じて新たな点検作業の指示を行うことができる。また、第２の実施形態の巡回点検システム２でも、第１の実施形態の巡回点検システム１と同様に、作業員ＦＯは、行った点検作業の点検結果に対して管理者Ｍによる承認を得ることによって、現在の位置のチェックポイントにおいて行った点検作業の確実性を向上させることができる。また、第２の実施形態の巡回点検システム２でも、第１の実施形態の巡回点検システム１と同様に、作業員ＦＯは、行った点検作業の点検結果が管理者Ｍによって承認された後に次のチェックポイントの向かうことによって、一度点検作業を行った設備の場所に再度出向いて再点検を行うなど、点検作業に要する時間が長くなる要因を排除することができ、一連の巡回点検の作業を効率よく行うことができる。
【０２１６】
また、第２の実施形態の巡回点検システム２でも、第１の実施形態の巡回点検システム１と同様に、増設された計測機器４１を点検簿の点検項目に紐づけて、点検簿を更新し、更新した点検簿に対して管理者Ｍの承認を得る。これにより、第２の実施形態の巡回点検システム２でも、第１の実施形態の巡回点検システム１と同様に、更新した点検簿の確実性を向上させることができ、点検簿の全ての点検項目に計測機器４１が紐づけられた場合には、再点検や保守作業などの作業の指示が出されたときを除いて、作業員ＦＯがプラント内を巡回するのみで、一連の巡回点検が完了することができる。
【０２１７】
上記に述べたとおり、本発明を実施するための形態によれば、巡回点検システムでは、プラント内に配置された設備に、設備の動作状態を計測する計測機器が設置され、プラント内の予め定められた位置にチェックポイントとして設置されたデータ収集機器が、周辺の予め定めた範囲（エリア）に配置されている設備に設置されている計測機器が計測した計測値を収集する。そして、本発明を実施するための形態では、プラント内を巡回してそれぞれの設備において点検作業を行う作業員が、点検ルートが表示された点検端末装置を携帯して、データ収集機器がデータや情報の送受信を行うことができる通信可能範囲内に出向くことによって、データ収集機器に対応する点検簿を点検サーバ装置から点検端末装置に取得する。このとき、本発明を実施するための形態では、データ収集機器が収集し、取得する点検簿に紐づけられている計測機器の計測値を、点検簿内の点検結果に反映する。これにより、本発明を実施するための形態では、点検端末装置にデータ収集機器に対応する点検簿を取得した段階で、点検簿（点検リスト）には、すでに計測機器の計測値が反映されている。これにより、本発明を実施するための形態では、作業員が、出向いたチェックポイントの位置のデータ収集機器に属している周辺の設備に対して、計測機器の計測値が反映されていない点検項目の点検作業のみを行うことができる。このことにより、本発明を実施するための形態では、作業員が実際にそれぞれの設備のところに出向いて点検作業を行う必要がある点検項目を少なくすることができ、出向いたチェックポイント（データ収集機器）に属している設備に対して行う点検作業に要する時間を削減することができる。
【０２１８】
また、本発明を実施するための形態によれば、それぞれのチェックポイントごとに、チェックポイントに属している設備の点検結果を入力した点検簿を、報告書として点検サーバ装置に送信する。これにより、本発明を実施するための形態では、プラント内に配置されたそれぞれの設備の運用（稼働）を管理する管理者が、チェックポイントに属している設備の点検結果を早い段階で確認することができ、必要に応じて、設備に対する再点検や追加の点検作業を、チェックポイントの位置にいる作業員に指示することができる。また、本発明を実施するための形態では、作業員は、点検サーバ装置に送信した報告書に対する管理者の承認を得てから、次のチェックポイント（次のチェックポイントとして設置されたデータ収集機器の通信可能範囲）に移動する。つまり、本発明を実施するための形態では、作業員は、それぞれのチェックポイントごとに、点検結果に対する管理者の承認を得ながら（点検作業を確実に行いながら）、プラント内に設置されたチェックポイントを巡回する。言い換えれば、本発明を実施するための形態では、作業員が、いわゆる、ウォークラリーのようにチェックポイントを巡回する。これにより、本発明を実施するための形態では、それぞれのチェックポイントごとの点検作業の確実性を向上させ、点検作業に要する時間が長くなる要因を排除して、一連の巡回点検の作業を効率よく行うことができる。
【０２１９】
また、本発明を実施するための形態によれば、設備に設置する計測機器が増設された場合に、点検端末装置を使用して、増設した計測機器と対応する点検簿とを紐づけ、管理者の承認を得て点検簿を更新する。これにより、本発明を実施するための形態では、作業員が実際にそれぞれの設備のところに出向いて点検作業を行う必要がある点検項目を少なくすることができ、出向いたチェックポイント（データ収集機器）に属している設備に対して行う点検作業に要する時間をさらに削減することができる。例えば、プラント内に配置された全ての設備に計測機器が設置されるなどによって、点検簿の全ての点検項目に計測機器が紐づけられた場合には、再点検や保守作業などの管理者から指示された作業を除いて、作業員が実際に設備のところに出向いて行う点検作業がなくなり、最終的には、作業員がプラント内のチェックポイントとして設置されたデータ収集機器の通信可能範囲を巡回するのみで、一連の巡回点検が完了することができる。
【０２２０】
なお、本発明を実施するための形態では、計測機器の計測値や作業員が実施した点検作業の点検結果が入力（反映）された点検簿（点検リスト）を報告書とし、管理者Ｍが、この報告書の内容を確認して、再点検を行う必要があるか否か、新たに行う必要がある点検作業があるか否か、点検作業の結果を承認するか否かを判定する、つまり、報告書に対する承認を行う場合について説明した。しかし、報告書に対する承認方法は、それぞれの実施形態に示した方法に限定されるものではない。例えば、点検サーバ装置に、報告書に示された点検リスト内の点検項目に対応する点検結果のデータ領域に入力（反映）された計測値を、予め定めた閾値に基づいて判定する自動判定機能を備えることによって、再点検を行う必要があるか否か、新たに行う必要がある点検作業があるか否か、点検作業の結果を承認するか否かを、自動で判定する構成にしてもよい。この場合、例えば、図６に示した報告書に対する承認結果の一例では、設備＝回転機Ｍ１に対して常に行う４つの点検項目のそれぞれに対応する点検結果のデータ領域Ｆｖ１内に入力（反映）されているそれぞれの計測値を自動判定機能によって判定し、判定した結果に基づいて、点検項目＝「油注入」の点検作業領域Ｆｗ１のグレーアウトを自動で解除する。これにより、報告書に対する承認を依頼してから、承認が得られるまでに要する時間を、より短縮することができる。
【０２２１】
なお、点検サーバ装置に備える自動判定機能を、点検端末装置に備える構成にしてもよい。この場合、報告書に対する承認を依頼する時点で、より確実性の高い報告書を点検サーバ装置に送信することができ、再点検と承認依頼との切り返し回数を少なくして、より効率よく一連の巡回点検の作業を行うことができる。
【０２２２】
なお、本発明を実施するための形態では、巡回点検システムが、設備が配置された領域として、プラントにおいて利用されている（構築されている）場合について説明した。しかし、本発明の巡回点検システムは、プラントへの利用に限定されるものではない。例えば、本発明の巡回点検システムの考え方は、建屋内のエレベータなどの巡回点検や、水道管の亀裂や漏水チェックなどの巡回点検にも利用することができる。
【０２２３】
なお、例えば、図１、図２、または図１２において示した点検サーバ装置２０（点検サーバ装置２１）や点検端末装置３０（点検端末装置３１）を構成する各構成要素による処理を実現するためのプログラムを、コンピュータ読み取り可能な記録媒体に記録して、当該記録媒体に記録されたプログラムをコンピュータシステムに読み込ませ、実行することにより、本実施形態の巡回点検システムに係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０２２４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、いわゆる差分ファイル（差分プログラム）であっても良い。
【０２２５】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０２２６】
１・・・巡回点検システム
１０・・・点検データベース（記憶装置）
２０，２１・・・点検サーバ装置
２０１・・・制御部（点検サーバ装置）
２０２・・・クライアント通信部（点検サーバ装置）
２０３・・・データインターフェース部（点検サーバ装置）
２０４・・・表示部（点検サーバ装置）
２０５・・・作業承認部（点検サーバ装置）
２１６・・・点検簿データ部（点検サーバ装置）
２１７・・・作業承認依頼部（点検サーバ装置）
３０，３１・・・点検端末装置（巡回点検装置）
３０１・・・制御部（巡回点検装置）
３０２・・・サーバ通信部（巡回点検装置，サーバ通信部）
３０３・・・点検簿データ部（巡回点検装置，点検簿データ部）
３０４・・・機器通信部（巡回点検装置，機器通信部）
３０５，３１５・・・表示部（巡回点検装置，表示部）
３０６・・・作業承認依頼部（巡回点検装置，承認依頼部）
４０，４０ａ，４０ｂ，４０ｃ，４０ｄ，４０ｅ，４０ｆ，４０ｇ，４０ｈ，４０ｉ・・・データ収集機器
４１，４１ａ，４１ｂ，４１ｃ，４１ｄ，４１ｅ，４１ｆ，４１ｎ・・・計測機器
Ｆｖ１，Ｆｖ２，Ｆｖ３，Ｆｖ１−４・・・データ領域
Ｆｗ１・・・点検作業領域
Ｒ１・・・移動経路
ＣＭ・・・チェックマーク
Ｆｔｓ１・・・データ領域
Ｆｔｅ１・・・データ領域
Ｆｔｅ２・・・データ領域
【図１】
2018073368.tif 000003
【図２】
2018073368.tif 000004
【図３】
2018073368.tif 000005
【図４】
2018073368.tif 000006
【図５】
2018073368.tif 000007
【図６】
2018073368.tif 000008
【図７】
2018073368.tif 000009
【図８】
2018073368.tif 000010
【図９】
2018073368.tif 000011
【図１０】
2018073368.tif 000012
【図１１】
2018073368.tif 000013
【図１２】
2018073368.tif 000014
【図１３】
2018073368.tif 000015